(57)【要約】【課題】Hybridアクセス方式の基地局において、登録移動局の優先的な接続を維持しながら、非登録移動局のハンドオーバのピンポン現象を回避する。【解決手段】無線通信システムは、フェムトセル基地局１及び周辺基地局３を含む。フェムトセル基地局１は、少なくとも１つの非登録端末２及び少なくとも１つの登録端末が共に無線接続可能であり、登録端末との間の通信を非登録端末２との間の通信より優先するよう構成されている。また、当該無線通信システムは、フェムトセル基地局１に関する所定の条件が成立し、かつ周辺基地局３に接続している無線端末が登録端末では無く非登録端末２である場合に、当該無線端末の接続先が周辺基地局３からフェムトセル基地局１に切り替わることを制限するよう構成されている。【選択図】図１
2011244208.tif 000002
【特許請求の範囲】
【請求項１】
少なくとも１つの非登録端末及び少なくとも１つの登録端末が共に無線接続可能であり、前記登録端末との間の通信を前記非登録端末との間の通信より優先する第１の無線局と、
第２の無線局と、
前記第１の無線局に関する所定の条件が成立し、かつ前記第２の無線局に接続している無線端末が前記登録端末では無く前記非登録端末である場合に、前記無線端末の接続先が前記第２の無線局から前記第１の無線局に切り替わることを制限する手段と、
を備える無線通信システム。
【請求項２】
前記手段は、
前記第１の無線局又は前記第１の無線局と接続された第１の制御装置に配置され、前記第１の無線局に接続している前記非登録端末の接続先が前記第２の無線局に切り替わることに応じて、前記第１の無線局の配下にある第１のセルの優先度を相対的に低下させたことを示すともに、前記登録端末を除く前記非登録端末の接続先切り替えに関して適用されるセル優先度情報を生成する情報作成部と、
前記非登録端末に配置され、前記第２の無線局から前記第１の無線局への接続先の切り替えを要求するか否かを、前記第１の無線局又は前記第１の制御装置から転送された前記セル優先度情報に基づいて判定するハンドオーバ判定部と、
を備える、請求項１に記載の無線通信システム。
【請求項３】
前記手段は、
前記第１の無線局又は前記第１の無線局と通信可能な第１の制御装置に配置され、前記第１の無線局に接続している前記非登録端末の接続先が前記第２の無線局に切り替わることに応じて、前記第１の無線局の配下にある第１のセルの優先度を相対的に低下させたことを示すともに、前記登録端末を除く前記非登録端末の接続先切り替えに関して適用されるセル優先度情報を生成する情報作成部と、
前記第２の無線局又は前記第２の無線局と通信可能な第２の制御装置に配置され、前記第２の無線局に接続中の前記非登録端末の接続先を前記第１の無線局へ変更する接続切り替えを実施するか否かを、前記セル優先度情報に基づいて判定するハンドオーバ判定部と、
を備える、請求項１に記載の無線通信システム。
【請求項４】
前記情報作成部は、前記第２の無線局の配下の第２のセルの優先度より前記第１のセルの優先度が低くなるように前記セル優先度情報を生成し、
前記ハンドオーバ判定部は、前記セル優先度情報で示される前記第１のセルの優先度が、前記第２の無線局の配下の第２のセルの優先度を上回ることを条件として、前記第２の無線局に接続中の前記非登録端末の接続先を前記第１の無線局へ変更する接続切り替えを実施することを決定する、請求項３に記載の無線通信システム。
【請求項５】
少なくとも１つの非登録端末及び少なくとも１つの登録端末が共に無線接続可能であり、前記登録端末との間の通信を前記非登録端末との間の通信より優先する無線送受信部と、
自局に接続している前記非登録端末の接続先が他の無線局に切り替わることに応じて、切り替え対象の前記非登録移動局の接続先が再び自局に切り替わることを制限する制御に使用され、前記非登録端末、前記他の無線局、又は前記他の無線局を制御する制御装置に送信される情報を作成する情報作成部と、
を備える無線局装置。
【請求項６】
少なくとも１つの非登録端末及び少なくとも１つの登録端末が共に無線接続可能であり、前記登録端末との間の通信を前記非登録端末との間の通信より優先する無線送受信部と、
自局と他の無線局の間における前記非登録端末及び前記登録端末の接続切り替えを制御するハンドオーバ実行部を備え、
前記ハンドオーバ実行部は、自局に接続している前記非登録端末の接続先が前記他の無線局に切り替えられた後の第１の期間中、前記他の無線局に接続している前記無線端末が前記登録端末では無く前記非登録端末である場合に、前記無線端末の接続先を前記他の無線局から自局へ変更する接続切り替えを拒否する、
無線局装置。
【請求項７】
第１の無線局と第２の無線局の間において、非登録端末、及び前記非登録端末に比べて前記第１の基地局との通信が優先される登録端末の接続切り替えを制御するハンドオーバ実行部と、
前記第１の無線局又は前記第１の無線局を制御する第１の制御装置から、前記第１の無線局に接続している前記非登録端末の接続先が前記第２の無線局に切り替わることに応じて通知される当該接続切り替えの原因を示す原因情報を受信するとともに、前記第２の無線局に接続している前記無線端末が前記登録端末では無く前記非登録端末である場合に、前記無線端末の接続先を前記第２の無線局から前記第１の無線局へ変更する接続切り替えを実施するか否かを、前記前記第１の無線局又は前記第１の制御装置から転送された前記原因情報と、前記無線端末から受信されるメッセージに含まれる原因情報との照合結果に基づいて判定するハンドオーバ判定部と、
を備えるハンドオーバ制御装置。
【請求項８】
第１の無線局と第２の無線局の間において、非登録端末、及び前記非登録端末に比べて前記第１の基地局との通信が優先される登録端末の接続切り替えを制御するハンドオーバ実行部と、
前記第１の無線局又は前記第１の無線局を制御する第１の制御装置から通知された前記第１の無線局の負荷状況を示す負荷情報に基づいて前記第１の無線局を前記非登録端末のハンドオーバ先から除外するかを決定する負荷情報受信部と、
前記第２の無線局に接続している前記無線端末が前記登録端末では無く前記非登録端末である場合に、前記無線端末の接続先を前記第２の無線局から前記第１の無線局へ変更する接続切り替えを実施するか否かを、前記負荷情報受信部による決定に基づいて判定するハンドオーバ判定部と、
を備えるハンドオーバ制御装置。
【請求項９】
前記負荷情報受信部は、前記負荷情報より判定される前記第１の無線局の負荷が所定の基準を超える場合に、前記第１の無線局又は前記第１の無線局の配下の第１のセルを除外リストに登録し、
前記ハンドオーバ判定部は、前記第１の無線局又は前記第１のセルが前記除外リストに指定されている場合に、前記第２の無線局に接続中の前記非登録端末の接続先を前記第１の無線局へ変更する接続切り替えを抑止する、請求項８に記載のハンドオーバ制御装置。
【請求項１０】
第１の無線局と第２の無線局の間において、非登録端末、及び前記非登録端末に比べて前記第１の基地局との通信が優先される登録端末の接続切り替えを制御するハンドオーバ実行部と、
前記第２の無線局に接続中の前記非登録端末の接続先を前記第１の無線局へ変更する接続切り替えを実施するか否かを、前記第２の無線局に接続中の前記非登録端末から通知されるメッセージに含まれる前記第１の無線局からのパイロット信号の受信品質の測定結果に基づいて判定するハンドオーバ判定部と、
前記第１の無線局又は前記第１の無線局を制御する第１の制御装置から通知された前記第１の無線局の負荷状況を示す負荷情報に基づいて、前記非登録端末によって前記パイロット信号の受信品質の測定結果に付加されるオフセット値を、前記第２の無線局に接続中の前記非登録端末の前記第２の無線局から前記第１の無線局への接続切り替えが発生し難くなるように調整し、前記第２の無線局に接続中の前記非登録端末に送信する送信部と、
を備えるハンドオーバ制御装置。
【発明の詳細な説明】
【技術分野】
【０００１】
本発明は、基地局に登録されていない移動局のハンドオーバを制御する無線通信システム、無線通信のハンドオーバ制御方法、無線局装置、及びハンドオーバ制御プログラムに関する。
【背景技術】
【０００２】
近年における携帯電話の普及に伴い、屋外だけでなく屋内からも携帯電話による音声通信やデータ通信の需要が増大している。このような需要の増大に対して、利用者宅内や小規模オフィス内などの屋内に設置可能な超小型の基地局の開発が進められている。そのような基地局がカバーする範囲は、屋外に設置される基地局（以下マクロ基地局と呼ぶ）のカバー範囲に比べて極めて小さいことから、フェムトセルと呼ばれる。以下では、この超小型の基地局をフェムトセル基地局と呼ぶ。フェムトセル基地局を用いることで超小型のセルを少人数で占有できるので、データ通信速度を飛躍的に増大させることができる。また、建物の高層階、地下街等の電波が届きにくい場所にも設置できるので、フェムトセル基地局はカバレッジ（所要品質を満たす通信エリア）拡大手段としても注目されている。
【０００３】
フェムトセル基地局は、周辺基地局が形成するマクロセル又はマイクロセルにオーバレイされるように設置されるか、それらのセルがカバーしない不感地に設置される。フェムトセル基地局はフェムトゲートウェー（GW）を介して上位ネットワーク（例えば通信事業者のコアネットワーク）に接続する。フェムトゲートウェー４は、後述のＷ−ＣＤＭＡ（Wideband Code Division Multiple Access）ではHome NodeB Gatewayと呼ばれ、Ｅ−ＵＴＲＡ（Evolved Universal Terrestrial Radio Access）ではHome eNodeB Gatewayと呼ばれる。移動局がフェムトセルの中にあるとき、フェムトセル基地局に登録されている移動局はフェムトセル基地局を介してネットワークと接続できる。一方、フェムトセル基地局に登録されていない移動局は、フェムトセル基地局を介してネットワークに接続することができないか、フェムトセル基地局との通信が移動局２−２に比べて制限される。以下では、フェムトセル基地局に予め登録された移動局を「登録移動局」と呼ぶ。また、フェムトセル基地局へ予め登録されていない移動局を「非登録移動局」と呼ぶ。
【０００４】
既存の移動通信網における基地局は、そのカバーするエリアに向けてパイロット信号を送信する。移動局は、そのパイロット信号を受信することにより、同期確立及びチャネル推定等を行なって、基地局との間でデータの送受信を行なう。そのため、移動局においてパイロット信号を良好な品質で受信できるようにすることで、良好な通信品質を提供できる。フェムトセル基地局においても同様である。
【０００５】
フェムトセル基地局の接続方式として、以下の３種類の方式が検討されている。１つ目は、予め登録された登録移動局のみが接続できるClosdアクセス方式である。２つ目は、登録移動局も非登録移動局も区別なく接続できるOpenアクセス方式である。そして３つ目は、登録移動局も非登録移動局も共に接続できるが、登録移動局が優先して接続できるHybridアクセス方式である。フェムトセル基地局が個人宅に配置される場合などのように不特定の第三者によるフェムトセル基地局の利用を制限したい場合は。Closdアクセス方式が適している。フェムトセル基地局が駅や空港等の公共スペースに配置される場合のようにフェムトセル基地局を誰でも利用できるようにしたい場合は、Openアクセス方式が適している。フェムトセル基地局がショッピングモールに配置される場合などのように利用者（例えば店員、会員顧客、非会員顧客）を区別してフェムトセル基地局を利用できるようにしたい場合は、Hybridアクセス方式が適している。非特許文献１では、特にHybridアクセス方式について要求条件や想定される利用シーン等が規定されている。一例として、Hybridアクセス方式のフェムトセル基地局が起動中に、電力等の無線リソースが不足して登録移動局に十分なサービスが提供できなくなった場合は、非登録移動局の通信を別のセルで継続できるようにする要求条件が規定されている。
【０００６】
フェムトセル基地局は、携帯電話の無線通信規格ではＷ−ＣＤＭＡ、Ｅ−ＵＴＲＡ（ＬＴＥ: Long Term Evolutionとも呼ばれる）等のシステムで、無線MAN（Wireless Metropolitan Area Network）の無線通信規格ではIEEE 802.16m等のシステムで使用することが検討されている。フェムトセル基地局がＷ−ＣＤＭＡで使用される場合は、非特許文献２に記載されているように、上り回線と下り回線における送信電力制御された個別チャネルを用いたデータ送信や、下り回線における共用チャネルを用いたデータ送信が行われる。このときフェムトセル基地局はHome NodeB (HNB)と呼ばれる。また、フェムトセル基地局がＥ−ＵＴＲＡで使用される場合は、非特許文献３に記載されているように、無線周波数の帯域が複数のリソースブロック（ＰＲＢ；Physical Resource Block）に分割され、基地局に配置されたスケジューラがＰＲＢの割当を行ない、割り当てられたＰＲＢを用いたデータ送信が行われる。このときフェムトセル基地局はHome eNodeB (HeNB)と呼ばれる。さらに、フェムトセル基地局がIEEE 802.16mで使用される場合は、非特許文献４に記載されているように、通信規格にOFDMA(Orthogonal Frequency Division Multiple Access)を採用し無線周波数の帯域をサブキャリアに分割して、基地局に配置されたスケジューラがサブキャリアの割当を行ない、割り当てられたサブキャリアを用いたデータ送信が行われる。
【０００７】
なお、特許文献１は、セルの輻輳が発生又は発生が予想される場合に、当該セルから周辺のセルへ移動局を強制的にハンドオーバさせる技術を開示している。また、特許文献１は、他の無線システムのセルへ強制ハンドオーバを実施した移動局が、輻輳状態にあるセルに再び復帰することがないように、該当移動局と無線基地局との関係を各無線通信システムに通知することについて記載している。
【０００８】
特許文献２は、負荷の高いセルへのハンドオーバを防止するための技術を開示している。具体的には、特許文献２に開示された制御局は、セルの負荷状態を示す情報を、基地局からの報知情報として移動局に送信する。移動局は、報知情報から判定されるセルの負荷状態と、基地局から送信される信号の受信レベルとに基づいて、ハンドオーバ候補セルを決定する。
【０００９】
特許文献３は、移動局が、接続先の無線基地局を変更する際に、複数の基地局に対して収容要求を送信し、収容要求を受信した複数の基地局から送信される応答の移動局における受信順序に基づいて新たな接続先基地局を決定する無線通信システムについて開示している。具体的には、特許文献３に開示された移動局は、移動局の接続先がスムーズに他の無線基地局に変更されるようにするために、現在の接続先の基地局からの応答を無視したり、現在の接続先の基地局からの応答に遅延時間を追加したり、現在の接続先の基地局からの応答の優先順位を下げたりする。これにより、移動局において、現在の接続先の基地局とは異なる他の基地局からの応答が採用される可能性を向上するため、移動局の接続先がスムーズに他の無線基地局に変更されるようになる。
【先行技術文献】
【特許文献】
【００１０】
【特許文献１】特開２００８−２７０９１９号公報
【特許文献２】特開２００６−５５０２号公報
【特許文献３】特開平５−２３５８４４号公報
【非特許文献】
【００１１】
【非特許文献１】3GPP TS 22.220 V9.3.0 (2009-12), 3rd Generation Partnership Project; Technical Specification Group Services and System Aspects; Service requirements for Home NodeBs and Home eNodeBs (Release 9), pp 8-19
【非特許文献２】3GPP TS 25.214 V7.3.0 (2006-12), 3rd Generation Partnership Project; Technical Specification Group Radio Access Network; Physical layer procedures (FDD)(Release 7), pp 14-31
【非特許文献３】3GPP TS 36.300 V8.1.0 (2007-06), 3rd Generation Partnership Project; Technical Specification Group Radio Access Network; Evolved Universal Terrestrial Radio Access (E-UTRA) and Evolved Universal Terrestrial Radio Access Network (E-UTRAN); Overall description; Stage 2 (Release 8), pp 16-30
【非特許文献４】IEEE 802.16m-08/003r9a, IEEE 802.16m System Description Document, 2009年5月31日， pp 64-88
【発明の概要】
【発明が解決しようとする課題】
【００１２】
前述のようにHybridアクセス方式では登録移動局が非登録移動局より優先される。フェムトセル基地局が輻輳した場合や、非常に優先度の高い登録移動局（緊急呼を発信する、最高優先度で契約する等）がいる場合は、非登録移動局はフェムトセル基地局から周辺の他のセル（マクロセルや別のフェムトセル）に回線を切り替える（ハンドオーバする）必要がある。周辺の他セルで使用される周波数がフェムトセルと異なる場合であれば、非登録移動局は、他セルへのハンドオーバを行うことによって、フェムトセルから干渉を受けることなく通信を継続できる。
【００１３】
一般的にハンドオーバは、移動局が接続中の自セルから送信されるパイロット信号の受信電力と隣接する他セルから送信されるパイロット信号の受信電力とを比較して、他セルのパイロット信号の受信電力が自セルのパイロット信号の受信電力より所定のレベル大きくなると、自セルから他セルへ回線を切り替えるように制御される。こうすることで、移動局は最も受信品質の良いセルと通信できるようになる。
【００１４】
Hybridアクセス方式の場合はハンドオーバの条件が異なる場合がある。すなわち、フェムトセル基地局が輻輳した場合などには、フェムトセルからのパイロット信号の受信電力が相対的に高いにもかかわらず非登録移動局は他セルへハンドオーバする場合がある。このとき、他セルへハンドオーバした非登録移動局は物理的にはフェムトセル基地局から大きく離れたわけではないので、依然としてフェムトセル基地局のパイロット信号の受信電力は比較的高いことが予想される。その結果、非登録移動局は、通常のハンドオーバの条件に従い、再びフェムトセルへハンドオーバしなおすことになる。一方、フェムトセルが依然として輻輳しているのであれば、Hybridアクセス方式のハンドオーバの条件に従い、非登録移動局は、再度他セルへハンドオーバすることになる。つまり、フェムトセルと他セルの間で非登録移動局がハンドオーバを繰り返すピンポン現象が発生する。これは安定した通信を実現する上で避けるべき大きな問題である。
【００１５】
なお、特許文献１は、上述したように、他の無線システムのセルへ強制ハンドオーバを実施した移動局が、輻輳状態にあるセルに再び復帰することがないように、該当移動局と無線基地局との関係を各無線通信システムに通知することについて記載している。ただし、特許文献１は、輻輳状態にあるセルへの移動局の再ハンドオーバを防止する具体的な手法については開示していない。また、特許文献１は、非登録移動局であるか登録移動局であるかによってハンドオーバの受け入れに関する取り扱いを変えることは何ら開示していない。特許文献２及び３についても、登録移動局の優先的な接続を維持しながら、非登録移動局のハンドオーバのピンポン現象を回避するための技術を開示していない。
【００１６】
本発明は、上述した知見に基づいてなされたものであって、本発明の目的は、Hybridアクセス方式のフェムトセルにおいて、登録移動局の優先的な接続を維持しながら、非登録移動局に対してフェムトセルから周辺セルへのハンドオーバを安定して実現し、非登録移動局のハンドオーバのピンポン現象を回避できる無線通信システム、無線局装置、ハンドオーバ制御装置、ハンドオーバ制御方法、及びハンドオーバ制御プログラムを提供することである。
【課題を解決するための手段】
【００１７】
本発明の第１の態様は、無線通信システムを含む。本態様に係る無線通信システムは、第１及び第２の無線局を含む。前記第１の無線局は、少なくとも１つの非登録端末及び少なくとも１つの登録端末が共に無線接続可能であり、前記登録端末との間の通信を前記非登録端末との間の通信より優先するよう構成されている。また、本態様に係る無線通信システムは、前記第１の無線局に関する所定の条件が成立し、かつ前記第２の無線局に接続している無線端末が前記登録端末では無く前記非登録端末である場合に、前記無線端末の接続先が前記第２の無線局から前記第１の無線局に切り替わることを制限するよう構成されている。
【００１８】
本発明の第２の態様は、無線局装置を含む。本態様にかかる無線局装置は、無線送受信部及び情報作成部を含む。前記無線送受信部は、少なくとも１つの非登録端末及び少なくとも１つの登録端末が共に無線接続可能であり、前記登録端末との間の通信を前記非登録端末との間の通信より優先する。また、前記情報作成部は、自局に接続している前記非登録端末の接続先が他の無線局に切り替わることに応じて、切り替え対象の前記非登録移動局の接続先が再び自局に切り替わることを制限する制御に使用され、前記非登録端末、前記他の無線局、又は前記他の無線局を制御する制御装置に送信される情報を作成する。
【００１９】
本発明の第３の態様は、無線局装置を含む。本態様にかかる無線局装置は、無線送受信部及びハンドオーバ実行部を含む。前記無線受信部は、少なくとも１つの非登録端末及び少なくとも１つの登録端末が共に無線接続可能であり、前記登録端末との間の通信を前記非登録端末との間の通信より優先する。また、前記ハンドオーバ実行部は、自局と他の無線局の間における前記非登録端末及び前記登録端末の接続切り替えを制御する。さらに、前記ハンドオーバ実行部は、自局に接続している前記非登録端末の接続先が前記他の無線局に切り替えられた後の第１の期間中、前記他の無線局に接続している前記無線端末が前記登録端末では無く前記非登録端末である場合に、前記無線端末の接続先を前記他の無線局から自局へ変更する接続切り替えを拒否する。
【００２０】
本発明の第４の態様は、ハンドオーバ制御装置を含む。本態様にかかるハンドオーバ装置は、ハンドオーバ実行部及びハンドオーバ判定部を含む。前記ハンドオーバ実行部は、第１の無線局と第２の無線局の間において、非登録端末、及び前記非登録端末に比べて前記第１の基地局との通信が優先される登録端末の接続切り替えを制御する。また、前記ハンドオーバ判定部は、前記第１の無線局又は前記第１の無線局を制御する第１の制御装置から、前記第１の無線局に接続している前記非登録端末の接続先が前記第２の無線局に切り替わることに応じて通知される当該接続切り替えの原因を示す原因情報を受信するとともに、前記第２の無線局に接続している前記無線端末が前記登録端末では無く前記非登録端末である場合に、前記無線端末の接続先を前記第２の無線局から前記第１の無線局へ変更する接続切り替えを実施するか否かを、前記前記第１の無線局又は前記第１の制御装置から転送された前記原因情報と、前記無線端末から受信されるメッセージに含まれる原因情報との照合結果に基づいて判定する。
【００２１】
本発明の第５の態様は、ハンドオーバ制御装置を含む。本態様にかかるハンドオーバ装置は、ハンドオーバ実行部、負荷情報受信部、及びハンドオーバ判定部を含む。前記ハンドオーバ実行部は、第１の無線局と第２の無線局の間において、非登録端末、及び前記非登録端末に比べて前記第１の基地局との通信が優先される登録端末の接続切り替えを制御する。前記負荷情報受信部は、前記第１の無線局又は前記第１の無線局を制御する第１の制御装置から通知された前記第１の無線局の負荷状況を示す負荷情報に基づいて前記第１の無線局を前記非登録端末のハンドオーバ先から除外するかを決定する。また、前記ハンドオーバ判定部は、前記第２の無線局に接続している前記無線端末が前記登録端末では無く前記非登録端末である場合に、前記無線端末の接続先を前記第２の無線局から前記第１の無線局へ変更する接続切り替えを実施するか否かを、前記負荷情報受信部による決定に基づいて判定する。
【００２２】
本発明の第６の態様は、ハンドオーバ制御装置を含む。本態様にかかるハンドオーバ装置は、ハンドオーバ実行部、ハンドオーバ判定部、及び送信部を含む。前記ハンドオーバ実行部は、第１の無線局と第２の無線局の間において、非登録端末、及び前記非登録端末に比べて前記第１の基地局との通信が優先される登録端末の接続切り替えを制御する。前記ハンドオーバ判定部は、前記第２の無線局に接続中の前記非登録端末の接続先を前記第１の無線局へ変更する接続切り替えを実施するか否かを、前記第２の無線局に接続中の前記非登録端末から通知されるメッセージに含まれる前記第１の無線局からのパイロット信号の受信品質の測定結果に基づいて判定する。また、前記送信部は、前記第１の無線局又は前記第１の無線局を制御する第１の制御装置から通知された前記第１の無線局の負荷状況を示す負荷情報に基づいて、前記非登録端末によって前記パイロット信号の受信品質の測定結果に付加されるオフセット値を、前記第２の無線局に接続中の前記非登録端末の前記第２の無線局から前記第１の無線局への接続切り替えが発生し難くなるように調整し、前記第２の無線局に接続中の前記非登録端末に送信する。
【発明の効果】
【００２３】
上述した本発明の各態様によれば、Hybridアクセス方式の基地局において、登録移動局の優先的な接続を維持しながら、非登録移動局のハンドオーバのピンポン現象を回避できる。
【図面の簡単な説明】
【００２４】
【図１】本発明の実施の形態１にかかるフェムトセル基地局と無線端末を含む無線通信システムの構成図である。
【図２】本発明の実施の形態１にかかるフェムトセル基地局のブロック図である。
【図３】本発明の実施の形態１にかかる非登録移動局のブロック図である。
【図４】本発明の実施の形態１にかかるフェムトセル基地局の制御手順を示すフローチャートである。
【図５】本発明の実施の形態１にかかる非登録移動局における制御手順を示すフローチャートである。
【図６】本発明の実施の形態２にかかる非登録移動局のブロック図である。
【図７】本発明の実施の形態２にかかる周辺基地局のブロック図である。
【図８】本発明の実施の形態２にかかる非登録移動局の制御手順を示すフローチャートである。
【図９】本発明の実施の形態２にかかるサービング基地局（周辺基地局）における制御手順を示すフローチャートである。
【図１０】本発明の実施の形態３にかかるフェムトセル基地局のブロック図である。
【図１１】本発明の実施の形態３にかかる周辺基地局のブロック図である。
【図１２】本発明の実施の形態３にかかるフェムトセル基地局の制御手順を示すフローチャートである。
【図１３】本発明の実施の形態３にかかるサービング基地局（周辺基地局）における制御手順を示すフローチャートである。
【図１４】本発明の実施の形態４にかかるフェムトセル基地局のブロック図である。
【図１５】本発明の実施の形態４にかかるフェムトセル基地局の制御手順を示すフローチャートである。
【図１６】本発明の実施の形態４にかかる非登録移動局における制御手順を示すフローチャートである。
【図１７】本発明の実施の形態４にかかるサービング基地局（周辺基地局）における制御手順を示すフローチャートである。
【図１８】本発明の実施の形態５にかかるフェムトセル基地局のブロック図である。
【図１９】本発明の実施の形態５にかかる周辺基地局のブロック図である。
【図２０】本発明の実施の形態５にかかるフェムトセル基地局における制御手順を示すフローチャートである。
【図２１】本発明の実施の形態５にかかるサービング基地局（周辺基地局）における制御手順を示すフローチャートである。
【図２２】本発明の実施の形態６にかかる周辺基地局のブロック図である。
【図２３】本発明の実施の形態６にかかるサービング基地局（周辺基地局）における制御手順を示すフローチャートである。
【図２４】本発明の実施の形態６にかかる非登録移動局における制御手順を示すフローチャートである。
【図２５】本発明の実施の形態７にかかるフェムトセル基地局のブロック図である。
【図２６】本発明の実施の形態７にかかるフェムトセル基地局の制御手順を示すフローチャートである。
【図２７】本発明の実施の形態１にかかる実施例における、フェムトセル基地局、非登録移動局、及び周辺基地局間のシーケンス図である。
【図２８】本発明の実施の形態２にかかる実施例における、フェムトセル基地局、非登録移動局、及び周辺基地局間のシーケンス図である。
【図２９】本発明の実施の形態３にかかる実施例における、フェムトセル基地局、非登録移動局、及び周辺基地局間のシーケンス図である。
【図３０】本発明の実施の形態４にかかる実施例における、フェムトセル基地局、非登録移動局、及び周辺基地局間のシーケンス図である。
【図３１】本発明の実施の形態５にかかる実施例における、フェムトセル基地局、非登録移動局、及び周辺基地局間のシーケンス図である。
【図３２】本発明の実施の形態６にかかる実施例における、フェムトセル基地局、非登録移動局、及び周辺基地局間のシーケンス図である。
【発明を実施するための形態】
【００２５】
以下では、本発明を適用した実施の形態について、図面を参照しながら詳細に説明する。各図面において、同一要素には同一の符号が付されており、説明の明確化のために必要な場合を除いて、重複説明は省略する。
【００２６】
＜発明の実施の形態１＞
図１は本実施の形態にかかる無線通信システムの構成例を示す図である。本実施形態にかかる無線通信システムは、少なくとも一台のフェムトセル基地局１、少なくとも一台の無線端末２、及び少なくとも一台の周辺の基地局３（マクロ基地局、マイクロ基地局、または別のフェムトセル基地局）を含む。フェムトセル基地局１は、フェムトセル６を形成する。フェムトセル基地局１はフェムトゲートウェー（GW）４を介してネットワーク５に接続する。周辺基地局３は、他セル７（例えばマクロセル、マイクロセル、又はフェムトセル）を形成する。無線端末２はフェムトセル基地局１及び周辺基地局３と通信可能な端末であれば良い。例えば、無線端末２は携帯電話、PHS（Personal Handy-phone System）端末等である。以下では、フェムトセル基地局１にHybridアクセス方式が適用され、無線端末２は非登録移動局であるとして説明する。つまり、非登録移動局２は、フェムトセル基地局１と通信でき、フェムトセル基地局１を介してネットワーク５に接続できるが、登録移動局（不図示）よりは通信の優先度が低い。また、周辺基地局３は、非登録移動局２のハンドオーバによって非登録移動局２の接続先の基地局となった後は、非登録移動局２にサービスを提供する。このため、以下では、周辺基地局３を「サービング基地局」と呼ぶ場合がある。
【００２７】
図２は、フェムトセル基地局１の構成例を示すブロック図である。フェムトセル基地局１は、無線受信部１０、ハンドオーバ判定部１１、ハンドオーバ実行部１２、端末情報記憶部１３、セル優先度情報作成部１４、隣接セル情報記憶部１５、及び無線送信部１６を有する。
【００２８】
無線受信部１０は、フェムトセル基地局１と通信するために移動局（登録移動局（不図示）及び非登録移動局２）が送信する上り信号、周辺基地局３からの信号、及び移動局が測定した周辺基地局３からの信号の受信結果の報告を、受信アンテナを介して受信する。受信したデータはフェムトＧＷ装置４に送信される。無線受信部１０は、Ｗ−ＣＤＭＡやＥ−ＵＴＲＡ、またはIEEE 802.16m等の無線方式に適合した基地局側の受信部とすればよい。ここでは、無線受信部１０の構成の詳細に関する説明は省略する。
【００２９】
ハンドオーバ判定部１１は、Hybridアクセス方式のフェムトセル基地局１において、非登録移動局２を周辺基地局３へハンドオーバさせるべきかどうかを判定する。登録移動局はハンドオーバの対象外とする。判定条件は種々ありうる。例としては、フェムトセル基地局１の全負荷が所定値を上回るとき、登録移動局のみの負荷が所定値を上回るとき、緊急呼や特定会員といった非常に優先度の高い登録移動局がフェムトセル基地局１に接続するとき、等が挙げられる。以下では、フェムトセル基地局１から周辺基地局３への非登録移動局２のハンドオーバ開始を決定する条件を第１のハンドオーバ条件と呼ぶことにする。なお、ここで言及した負荷とは、Ｗ−ＣＤＭＡであれば全受信電力、Ｅ−ＵＴＲＡやIEEE 802.16mであればリソースブロックやサブキャリアの使用率とすればよい。ハンドオーバ判定部１１による判定結果はハンドオーバ実行部１２に送信される。
【００３０】
ハンドオーバ実行部１２は、ハンドオーバ判定部１１からハンドオーバすべきという判定結果を受信した場合に、非登録移動局２を周辺基地局３ハンドオーバするための制御情報（ハンドオーバ制御情報と呼ぶ）を作成し、これをハンドオーバ先となる周辺基地局３（サービング基地局）に送信する。当該制御情報を作成するために、ハンドオーバ実行部１２は、ハンドオーバの対象となる接続中の非登録移動局２の情報を端末情報記憶部１３から取得し、ハンドオーバ可能な周辺基地局３の情報を隣接セル情報記憶部１５から取得すればよい。また、ハンドオーバ実行部１２は、セル優先度情報の作成に必要な情報をセル優先度情報作成部１４に送信する。セル優先度情報の作成に必要な情報は、非登録移動局２のハンドオーバ先である他セル７を識別可能な情報を含めばよい。セル優先度情報作成部１４によって作成されたセル優先度情報は、フェムトセル基地局１から放れて周辺基地局３にハンドオーバする非登録移動局２に対して送信される。以下ではフェムトセル基地局１から周辺基地局３へのハンドオーバを「第１のハンドオーバ」と呼ぶことにする（3GPPではOutbound Handoverと呼ばれている）。
【００３１】
端末情報記憶部１３は、移動局の情報を記憶するデータベースである。端末情報記憶部１３は、移動局の登録状態（登録移動局であるか非登録移動局であるか）、移動局の識別子、通信の有無、通信の優先度（QoS等）等を記録すればよい。端末情報記憶部１３は、必要に応じてハンドオーバ実行部１２に情報を提供する。
【００３２】
セル優先度情報作成部１４は、セル優先度情報を作成する。セル優先度情報は、複数のセルが階層的に設置されている場合に、ハンドオーバ又はセル再選択を行う移動局が特定のセルを優先して接続先セルとして選択できるようにするための指標である。セル優先度情報は、例えば、W-CDMAではHierarchical Cell Structureと呼ばれ、E-UTRAではCell Reselection Priorityと呼ばれる。セル優先度情報作成部１４は、非登録移動局２をハンドオーバさせる際、フェムトセル６が接続先セルとして選択される優先度が相対的に低くなるよう設定されたセル優先度情報を作成し、これを非登録移動局２に対して送信する。具体的には、フェムトセル６の優先度がハンドオーバ先の他セル７の優先度に比べて低くなるようにすればよい。例えば、隣接セル情報記憶部１５に記憶されている他セル７の情報を参考にして、フェムトセル６の優先度を他セル７の優先度より所定の値（１等）小さく設定してもよい。作成されたセル優先度情報は非登録移動局２に個別に送信される。一方で、フェムトセル基地局１は、報知チャネルを用いてセル優先度情報を報知することもできる。例えば、第１のハンドオーバ条件から回復したことを移動局に知らせるときである。この場合、セル優先度情報作成部１４は、登録移動局（不図示）に対して供給するセル優先度情報と非登録移動局２に対して供給するセル優先度情報を別々に作成することが望ましい。その際、非登録移動局のセル優先度情報のみ変更する前の値に再設定する対象とし、登録移動局のセル優先度情報は再設定しないこととすればよい。
【００３３】
隣接セル情報記憶部１５は、フェムトセル基地局１の周辺に存在する基地局（周辺基地局３を含む）の情報を記憶するデータベースである。隣接セル情報記憶部１５は、基地局の識別子、配下のセルとその識別子等を記録すればよい。隣接セル情報記憶部１５は、必要に応じてハンドオーバ判定部１１、ハンドオーバ実行部１２、及びセル優先度情報作成部１４に情報を提供する。ハンドオーバ判定部１１は、隣接セル情報記憶部１５に記録されている基地局配下のセルをフェムトセルに隣接しているとみなし、これらをハンドオーバ先セルの候補とすればよい。
【００３４】
無線送信部１６は、移動局（登録移動局（不図示）及び非登録移動局２）への下り制御信号や下りデータを、送信アンテナを介して送信する。無線送信部１６は、Ｗ−ＣＤＭＡやＥ−ＵＴＲＡ、またはIEEE 802.16m等の無線方式に適合した基地局側の送信部とすればよい。ここでは、無線送信部１６の構成の詳細に関する説明は省略する。
【００３５】
次に、図３は、非登録移動局２の構成例を示すブロック図である。非登録移動局２は、無線受信部２０、隣接セル情報記憶部２１、ハンドオーバ判定部２２、ハンドオーバ実行部２３、及び無線送信部２４を有する。なお、非登録移動局２が接続した周辺基地局３は、非登録移動局２にとってサービング基地局になるものとして説明する。
【００３６】
無線受信部２０は、フェムトセル基地局１や周辺基地局３が送信する下り信号、フェムトセル基地局１が報知する測定指示等を、受信アンテナを介して受信する。また、無線受信部２０は、フェムトセル基地局１が送信したセル優先度情報を受信し、隣接セル情報記憶部２１に送信する。受信データは移動局２内で処理される。無線受信部２０は、Ｗ−ＣＤＭＡやＥ−ＵＴＲＡ、またはIEEE 802.16m等の無線方式に適合した移動局側の受信部とすればよい。ここでは、無線受信部２０の構成の詳細に関する説明は省略する。
【００３７】
隣接セル情報記憶部２１は、無線受信部２０で受信されたセル優先度情報を取得し、隣接セル情報の中でフェムトセル６に対応する情報のセル優先度を更新する。隣接セル情報記憶部２１は、必要に応じてハンドオーバ判定部２２に情報を提供する。
【００３８】
ハンドオーバ判定部２２は、サービング基地局（周辺基地局３）からフェムトセル６にハンドオーバすべきかどうかを判定する。判定条件は、フェムトセル基地局１における第１のハンドオーバ条件とは異なり、接続中のサービングセル（他セル７）が送信するパイロット信号の受信電力とフェムトセル６が送信するパイロット信号の受信電力を比較して、フェムトセル６のパイロット信号の受信電力がサービングセルのパイロット信号の受信電力より所定のレベル大きくなると、サービングセルからフェムトセル６にハンドオーバすると判定する。ただし、フェムトセル６がサービングセルの隣接セルとして隣接セル情報記憶部２１に登録されている必要があるが、ここでは登録されているものとする。または、ハンドオーバ判定部２２は、フェムトセル６からのパイロット信号の受信電力が所定レベル以上となるとき等も判定条件として使用してもよい。以下では、パイロット信号の受信品質（例えば受信電力）を基準とするハンドオーバ開始の判定条件を第２のハンドオーバ条件と呼ぶ。
【００３９】
第２のハンドオーバ条件を満たすと判定した場合、さらにハンドオーバ判定部２２は、フェムトセル６に関するセル優先度と他の隣接セルに関するセル優先度を比較する。そして、ハンドオーバ判定部２２は、フェムトセル６に関するセル優先度が他の隣接セルに関するセル優先度を上回る場合に、サービング基地局（周辺基地局３）からフェムトセル基地局１への非登録移動局２のハンドオーバ開始を決定する。ハンドオーバ判定部２２による判定結果はハンドオーバ実行部２３に報告される。
【００４０】
ハンドオーバ実行部２３は、ハンドオーバ判定部２２からハンドオーバすべきという判定結果を受信した場合には、非登録移動局２をフェムトセル６にハンドオーバするための制御情報（つまりハンドオーバ要求）を作成し、無線送信部２４を介してサービング基地局（周辺基地局３）又はフェムトセル基地局１に転送する。なお、以下では周辺基地局３からフェムトセル基地局１へのハンドオーバを第２のハンドオーバと呼ぶことにする（3GPPではInbound Handoverと呼ばれている）。
【００４１】
無線送信部２４は、ハンドオーバ実行部２３が作成した制御情報がある場合は、送信アンテナを介してそれをサービング基地局（周辺基地局３）に送信する。無線送信部２４は、Ｗ−ＣＤＭＡやＥ−ＵＴＲＡ、またはIEEE 802.16m等の無線方式に適合した移動局側の送信部とすればよい。ここでは、無線送信部２４の構成の詳細に関する説明は省略する。
【００４２】
以下では、本実施の形態の動作について、フェムトセル基地局１と非登録移動局２について順に説明する。
【００４３】
まず、フェムトセル基地局１の動作について、図４のフローチャートを参照して説明する。フェムトセル基地局１の配下には少なくとも一台の登録移動局（不図示）と少なくとも一台の非登録移動局２が存在し、ハンドオーバ判定部１１における第１のハンドオーバ条件を満たす状態にあるとする。
【００４４】
ステップＳ１１では、ハンドオーバ判定部１１が第１のハンドオーバ条件の成立を判定したことに応じて、ハンドオーバ実行部１２は、ハンドオーバ制御情報を作成する。フェムトセル基地局１とサービング基地局（周辺基地局３）の間でハンドオーバ制御情報を含むメッセージをやり取りすることで、非登録移動局２のサービング基地局（周辺基地局３）への第１のハンドオーバが完了する。ここで、フェムトセル基地局１の配下に複数台の非登録移動局２が存在する場合は、全ての非登録移動局２をハンドオーバさせてもよいし、一部でもよい。複数台の非登録移動局２をハンドオーバさせる場合の順序は任意でもよいし、無線リソースを多く使用している非登録移動局２から順に行ってもよい。
【００４５】
ステップＳ１２では、フェムトセル基地局１は、非登録移動局２の第１のハンドオーバが実施される場合に、ハンドオーバする非登録移動局２に対してセル優先度情報Ｐを無線送信部１６から個別に送信する。上述したように、セル優先度情報Ｐは、セル優先度情報作成部１４によって作成される。セル優先度情報は、例えば、フェムトセル６に対する優先度が他セル７に比べて所定の値だけ低くなるように再設定すればよい。セル優先度情報Ｐは、第１のハンドオーバの処理プロセスの過程で非登録移動局２に送信されるメッセージに含めて送信してもよいし、独立のメッセージで送信してもよい。
【００４６】
なお、非登録移動局２の第２のハンドオーバを再び受け付けできるようにするため、フェムトセル基地局１の輻輳が解消された場合等には、セル優先度情報作成部１４は、フェムトセル６の優先度を元に戻したセル優先度情報を作成するとよい。無線送信部１６は、例えば、報知チャネルを用いて、フェムトセル６の優先度を元に戻したセル優先度情報を送信するとよい。
【００４７】
次に、非登録移動局２の動作について、図５のフローチャートを参照して説明する。ステップＳ２１では、非登録移動局２がフェムトセル基地局１よりセル優先度情報Ｐを取得する。ステップＳ１２で述べたように、非登録移動局２がフェムトセル基地局１からセル優先度情報Ｐを取得するタイミングは、第１のハンドオーバ処理中でもよいし、ハンドオーバ処理前又は後でもよい。ステップＳ２１以降では非登録移動局２の第１のハンドオーバは完了している。なお、サービング基地局（周辺基地局３）が報知する隣接セル報知情報の中にフェムトセル６に関する情報がすでに含まれていた場合、非登録移動局２は、サービング基地局から隣接セル報知情報で通知されたフェムトセル６の優先度を、フェムトセル基地局１から通知されたフェムトセル６の優先度で置き換える。
【００４８】
ステップＳ２２では、非登録移動局２は、第１のハンドオーバを実施した後に、第２のハンドオーバ条件を満たす程度に受信電力の高い周辺セルを検出する。多くの場合この周辺セルはフェムトセル６に該当する。非登録移動局２の移動に伴うハンドオーバではないので、ハンドオーバした後も依然として非登録移動局２はフェムトセル基地局１の近傍に位置し、フェムトセル基地局１から高い受信電力を受けるためである。非登録移動局２による受信電力の測定は、異周波数の測定であってもよいし、同一周波数の測定であってもよい。以下の図５に関する説明では、非登録移動局２における受信電力の高い周辺セルがフェムトセル６であると仮定して説明する。
【００４９】
ステップＳ２３では、非登録移動局２は、第２のハンドオーバ条件を満たす程度に受信電力が高いと判定された周辺セル（フェムトセル６）のセル優先度Ｐと、その他の周辺セルのセル優先度Ｐoを比較する。Ｐoは、例えば、以下のように求めるとよい。サービング基地局（周辺基地局３）が報知する隣接セル報知情報には、N個の隣接セルのIDとそれぞれの優先度{Pi}が含まれるとする。隣接セル報知情報にフェムトセル６に関する情報が含まれる場合、{Pi}からフェムトセル６を除いた平均からPoを算出するとよい。フェムトセル６に関する情報が含まれない場合には{Pi}の平均値を用いればよい。
【００５０】
ステップＳ２４では、ステップＳ２３においてＮＯと判定された場合、すなわちフェムトセル６に対するセル優先度Ｐがその他の周辺セルに対するセル優先度Pｏ以上に設定されていた場合、非登録移動局２（ハンドオーバ判定部２２）は、フェムトセル６が優先的に接続すべきセルであると判断し、サービング基地局（周辺基地局３）からフェムトセル基地局１への非登録移動局２のハンドオーバ開始を決定する。当該決定に基づいて、ハンドオーバ実行部２３はハンドオーバ要求を作成し、無線送信部２４を介してサービング基地局に送信する。これにより、第２のハンドオーバが開始される。
【００５１】
ステップＳ２５では、ステップＳ２３においてＹＥＳと判定された場合、すなわちフェムトセル６に対するセル優先度Ｐがその他の周辺セルに対するセル優先度Pｏより小さく設定されていた場合、非登録移動局２（ハンドオーバ判定部２２）は、フェムトセル６に接続すべきでないと判断する。このとき、ハンドオーバ要求はサービング基地局（周辺基地局３）に送信されない。
【００５２】
以上の構成により、本実施の形態にかかるフェムトセル基地局１は、第１のハンドオーバを実施した非登録移動局２に対して、自身の配下にあるフェムトセル６を接続先セルとして選択するセル優先度を周辺セルに比べて低くなるように変更する。また、本実施の形態にかかる非登録移動局２は、ハンドオーバ先となる可能性が高いフェムトセル６のセル優先度が低く再設定されたことに基づいて、第２のハンドオーバを回避する。さらに、第２のハンドオーバの抑止のためのセル優先度の変更は、非登録移動局２に対するものであって、登録移動局に対する変更はない。その結果、登録移動局の優先的な接続を維持しながら、非登録移動局２に対して第１のハンドオーバを安定して実現し、第１のハンドオーバと第２のハンドオーバが繰り返されるピンポン現象を回避できる。
【００５３】
また、図４や図５に示した手順は、マイクロプロセッサ等のコンピュータに基地局や移動局を制御するためのプログラムを実行させることによって実現可能である。すなわち、第１のハンドオーバの実施、及びセル優先度情報の再設定に関する命令群を含む基地局制御プログラムをコンピュータに実行させればよい。また、再設定されたセル優先度情報に基づく第２のハンドオーバの可否の判定に関する命令群を含む移動局制御プログラムをコンピュータに実行させればよい。
【００５４】
これらのプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００５５】
＜発明の実施の形態２＞
本実施の形態にかかる無線通信システムの構成例は、図１と同様である。本実施の形態にかかる無線通信システムは、セル優先度情報に基づいて、つまり非登録移動局２に関してフェムトセル６のセル優先度を他の周辺セルに比べて低下させることで第２のハンドオーバを回避するための具体的手法が上述した実施の形態１と異なる。本実施の形態にかかる無線通信システムが有するフェムトセル基地局１の構成と動作は実施の形態１と同様とすればよい。一方、本実施の形態にかかる無線通信システムが有する非登録移動局２の構成と動作、及び第１のハンドオーバ先であるサービング基地局（周辺基地局３）の構成と動作は、実施の形態１と異なる。特にサービング基地局（周辺基地局３）の要素が追加される。すなわち実施の形態１では、非登録移動局２が、再設定されたセル優先度情報を保持し、第２のハンドオーバを実施すべきかを判断していた。これに対して、本実施の形態では、非登録移動局２はセル優先度情報をサービング基地局（周辺基地局３）に送信し、サービング基地局が第２のハンドオーバを実施すべきか判断する。
【００５６】
図６は、本実施形態にかかる非登録移動局２の構成例を示すブロック図である。図６の非登録移動局２は、無線受信部２０、隣接セル情報記憶部２１、及び無線送信部２４を有する。図３の実施の形態１にかかる非登録移動局２に含まれるハンドオーバ判定部２２、及びハンドオーバ実行部２３は、本実施形態にかかる非登録移動局２には含まれない。
【００５７】
無線受信部２０の構成は、実施の形態１で説明した図３に示した無線受信部２０と同様とすればよいため、その説明は省略する。隣接セル情報記憶部２１は、無線受信部２０で受信されたセル優先度情報を取得し、隣接セル情報の中でフェムトセル６に対応する情報のセル優先度を更新する。無線送信部２４は、フェムトセル基地局１から受信したセル優先度情報が隣接セル情報記憶部２１に保持されている場合は、送信アンテナを介してそれをサービング基地局（周辺基地局３）に送信する。
【００５８】
図７は、本実施形態にかかるサービング基地局（周辺基地局３）の構成例を示すブロック図である。サービング基地局は、無線受信部３０、隣接セル情報記憶部３１、ハンドオーバ判定部３２、端末情報記憶部３３、及びハンドオーバ実行部３４を有する。
【００５９】
無線受信部３０は、実施の形態１のフェムトセル基地局１における無線受信部１０と同様に、Ｗ−ＣＤＭＡやＥ−ＵＴＲＡ、またはIEEE 802.16m等の無線方式に適合した基地局側の受信部である。ただし、無線受信部３０は、非登録移動局２からセル優先度情報を受信する。
【００６０】
隣接セル情報記憶部３１は、サービング基地局（基地局３）の周辺に存在する基地局の情報を記憶するデータベースである。隣接セル情報記憶部３１は、基地局の識別子、配下のセルとその識別子等を記録すればよい。隣接セル情報記憶部３１は、必要に応じてハンドオーバ判定部３２に情報を提供する。ハンドオーバ判定部３２は、隣接セル情報記憶部３１に記録されている基地局配下のセルをターゲットセル（他セル７）に隣接しているとみなし、これらをハンドオーバ先セルの候補とすればよい。
【００６１】
ハンドオーバ判定部３２は、端末情報記憶部３３からハンドオーバすべき非登録移動局の情報を受け取ること以外は、実施の形態１の非登録移動局２におけるハンドオーバ判定部２２と同様に、第２のハンドオーバ条件の判定を行えばよい。
【００６２】
端末情報記憶部３３は実施の形態１のフェムトセル基地局１における端末情報記憶部１３と同様に、移動局の情報を記憶するデータベースである。
【００６３】
ハンドオーバ実行部３４は、ハンドオーバ判定部３２からハンドオーバすべきという判定結果を受信した場合には、非登録移動局２をフェムトセル基地局１にハンドオーバするための制御情報（ハンドオーバ制御情報）を生成し、これをハンドオーバ先となるフェムトセル基地局１に送信する。ハンドオーバ制御情の送信は、W-CDMAであれば、基地局を制御するRNC (Radio Network Controller)を経由して行えばよい。また、E-UTRAであれば、X2インターフェースを介してフェムトセル基地局１に直接送信してもよいし、S1インターフェースを介してフェムトGWを経由して送信してもよい。つまり、周辺基地局３とフェムトセル基地局１の間で利用可能な通信インターフェースを適宜利用すればよい。
【００６４】
以下では、本発明を適用した実施の形態の動作について、非登録移動局２とサービング基地局（基地局３）について順に説明する。フェムトセル基地局の動作は実施形態１と同様のため、その説明は省略する。
【００６５】
まず非登録移動局２の動作の具体例について、図８のフローチャートを参照して説明する。ステップＳ２１は図５におけるステップＳ２１と同様である。
【００６６】
ステップＳ２６では、非登録移動局２は、第１のハンドオーバに際してフェムトセル基地局１から受信したセル優先度情報Ｐを、サービング基地局（周辺基地局３）に送信する。セル優先度情報は、例えば、フェムトセル６に対する優先度がその他のセルに比べて所定の値だけ低くなるように、フェムトセル基地局１によってすでに再設定されている。非登録移動局２は、第１のハンドオーバの処理プロセスの過程でサービング基地局（基地局３）に送信されるメッセージに含めてセル優先度情報Ｐをサービング基地局（基地局３）に送信してもよいし、独立のメッセージでセル優先度情報Ｐを送信してもよい。
【００６７】
次にサービング基地局３の動作の具体例について、図９のフローチャートを参照して説明する。ステップＳ３１では、サービング基地局が非登録移動局よりセル優先度情報Ｐを取得して、隣接セル情報記憶部３１に記録する。ステップＳ２６で前述したように、サービング基地局が非登録移動局２からセル優先度情報Ｐを取得するタイミングは、第１のハンドオーバ処理中でもよいし、ハンドオーバ処理前又は処理後でもよい。ステップＳ３１以降では非登録移動局２の第１のハンドオーバは完了している。
【００６８】
ステップＳ３２では、サービング基地局（周辺基地局３）は、第１のハンドオーバを実施した後に第２のハンドオーバ条件を満たす程受信電力の高い周辺セルを検出した登録移動局（不図示）または非登録移動局２から、第２のハンドオーバをするための要求メッセージを受信する。多くの場合この周辺セルはフェムトセルに該当する。登録移動局（不図示）または非登録移動局２による受信電力の測定は、異周波数の測定であってもよいし、同一周波数の測定であってもよい。
【００６９】
ステップＳ３３では、サービング基地局（周辺基地局３）は、ハンドオーバ要求がフェムトセル基地局１の登録移動局によるものか、非登録移動局によるものかを判定する。移動局の登録状態は端末情報記憶部３３の記録に保持されている。例えば、セル優先度情報Ｐの送信元である移動局は、第１のハンドオーバによって他セル７に接続したものとみなし、フェムトセル基地局１の非登録移動局として端末情報記憶部３３に記録すればよい。ハンドオーバ要求元が登録移動局であると判定した場合、ステップＳ３５のように、サービング基地局（周辺基地局３）は、フェムトセル基地局１への登録移動局の第２のハンドオーバを実施する。ハンドオーバ要求元が非登録移動局であると判定した場合はステップＳ３４の判定に移行する。
【００７０】
ステップＳ３４では、サービング基地局（周辺基地局３）は、非登録移動局２から受信したフェムトセル６のセル優先度Ｐと、隣接セル情報記憶部３１に記録されている周辺セルのセル優先度Ｐoを比較する。ＰoはステップＳ２３と同様に求めればよい。図９の例では、フェムトセル６のセル優先度Ｐが周辺セルのセル優先度Ｐoを下回るか否かを判定している。
【００７１】
ステップＳ３５では、ステップＳ３３またはＳ３４においてＮＯと判定された場合、すなわちハンドオーバ要求元が登録移動局であるか、または非登録移動局であってもフェムトセル６に対するセル優先度Ｐが周辺セルに対するセル優先度Pｏ以上に設定されていた場合、サービング基地局（周辺基地局３）は、ハンドオーバ要求元の移動局が優先的に接続するセルはフェムトセル６であると判断する。つまり、サービング基地局（周辺基地局３）は、第２のハンドオーバの開始を決定し、第２のハンドオーバを実施する。
【００７２】
ステップＳ３６では、ステップＳ３４においてＹＥＳと判定された場合、すなわちフェムトセル６に対するセル優先度Ｐが周辺セルに対するセル優先度Pｏより小さく設定されていた場合、サービング基地局（周辺基地局３）は、ハンドオーバ要求元の移動局をフェムトセ６ルには接続すべきでないと判断する。このとき、第２のハンドオーバは実施されず、終了する。
【００７３】
本実施の形態や実施の形態１で述べたことから明らかであるように、第２のハンドオーバを実施するか否かの判定は、非登録移動局２とサービング基地局（周辺基地局３）との間で適宜分担することができる。また、第２のハンドオーバを実施するか否かの判定は、非登録移動局２又は周辺基地局３と通信可能に配置された制御装置が行ってもよい。第２のハンドオーバを実施するか否かの判定を非登録移動局２、周辺基地局３及びその他の制御装置の間でどのように分担したとしても、非登録移動局２のハンドオーバのピンポン現象を抑制することができる。
【００７４】
＜発明の実施の形態３＞
上述した発明の実施の形態１及び２では、フェムトセル６から他セル７へハンドオーバした非登録移動局２が再びフェムトセル６へハンドオーバをすること（ピンポン現象）を制限するための情報として、セル優先度情報を用いる例について説明した。具体的には、フェムトセル６の優先度を低下させたセル優先度情報の更新情報をフェムトセル基地局１から非登録移動局２へ送信する例を示した。本実施の形態では、ハンドオーバのピンポン現象を制限するための情報として、ハンドオーバコーズを用いる例について説明する。ハンドオーバコーズは、非登録移動局の第１のハンドオーバに際してフェムトセル基地局１によって生成され、第１のハンドオーバのターゲット基地局である周辺基地局３に送信される。フェムトセル基地局１から周辺基地局３へのハンドオーバコーズの送信には、これら２つの基地局間で利用可能な通信インターフェースを用いればよい。
【００７５】
本実施の形態にかかる無線通信システムの構成例は、図１と同様である。図１０は、本実施の形態にかかるフェムトセル基地局１の構成例を示すブロック図である。フェムトセル基地局１は、無線受信部１０、ハンドオーバ判定部１１、ハンドオーバ実行部１２、端末情報記憶部１３、隣接セル情報記憶部１５、及びハンドオーバコーズ作成部１７を有する。ハンドオーバコーズ作成部１７以外の要素は、図２に示した同名の要素と同様なので、説明は省略する。ただし、図１０のハンドオーバ実行部１２は、第１のハンドオーバに際して、更新されたセル優先情報の生成及び非登録移動局２への送信を行う必要は無い。
【００７６】
ハンドオーバコーズ作成部１７は、フェムトセル基地局１からターゲット基地局（周辺基地局３）へハンドオーバを実施した原因を示す情報であるハンドオーバコーズ（Handover Cause）を作成する。Hybridアクセス方式のフェムトセル基地局１において第１のハンドオーバ条件を満たした場合、ハンドオーバコーズ作成部１７は、実施の形態１で述べたような第１のハンドオーバの具体的な要因、例えば、フェムトセル基地局１の負荷が高く輻輳が発生した等、を示すハンドオーバコーズを作成する。ハンドオーバコーズは、これ以外にも第２のハンドオーバ条件のような無線品質に関する内容を含んでもよい。
【００７７】
次に本実施の形態における周辺基地局３の構成例を示すブロック図を図１１に示す。周辺基地局３は、無線受信部３０、隣接セル情報記憶部３１、ハンドオーバ判定部３２、端末情報記憶部３３、及びハンドオーバ実行部３４を有する。隣接セル情報記憶部３１は、フェムトセル基地局１からハンドオーバコーズを受信する。ハンドオーバ判定部３２は、非登録移動局２からのハンドオーバ要求を受信した場合、セル優先度情報の代わりにハンドオーバコーズを使用してハンドオーバの可否を判定する。図１１に示した各要素のその他の動作は、実施の形態２で説明した図７と同様であるため、各要素の説明は省略する。
【００７８】
以下では、本実施の形態の動作を、フェムトセル基地局１とサービング基地局（周辺基地局３）について順に説明する。まずフェムトセル基地局１の動作の具体例について、図１２のフローチャートを参照して説明する。ステップＳ１１は実施の形態１で説明した図４のステップＳ１１と同様である。
【００７９】
ステップＳ１３では、非登録移動局２の第１のハンドオーバが実施されることに応じてハンドオーバコーズ作成部１７は、ハンドオーバコーズＣをハンドオーバ先の周辺基地局３に対して移動局を経由せずに直接的に送信する。W-CDMAであれば、基地局を制御するRNC (Radio Network Controller)を経由して送信すればよい。また、E-UTRAであれば、X2インターフェースを介して周辺基地局３に直接送信してもよいし、S1インターフェースを介してフェムトGWを経由して送信してもよい。ハンドオーバコーズ作成部１７は、第１のハンドオーバの条件を満たした際の原因をハンドオーバコーズＣに記録する。ハンドオーバコーズＣは、第１のハンドオーバの処理プロセスの過程で周辺基地局３に送信されるメッセージに含めて送信してもよいし、独立のメッセージで送信してもよい。
【００８０】
次に周辺基地局３の動作の具体例について、図１３のフローチャートを参照して説明する。ステップＳ３２、Ｓ３３、Ｓ３５、及びＳ３６は、実施の形態２で説明した図９における同名のステップと同様である。なお、ステップＳ３２において周辺基地局３が非登録移動局２から受信するハンドオーバ要求は、非登録移動局２が第２のハンドオーバの必要性を判定した要因、つまり第２のハンドオーバ条件の内容を示すハンドオーバコーズを含む。例えば、ハンドオーバ要求は、フェムトセル６のパイロット信号の受信電力が他セル７のパイロット信号の受信電力を上回った等の情報を含む。
【００８１】
ステップＳ３７では、周辺基地局３は、フェムトセル基地局１からハンドオーバコーズＣを取得して、隣接セル情報記憶部３１に記録する。周辺基地局３がフェムトセル基地局１からハンドオーバコーズＣを取得するタイミングは、第１のハンドオーバ処理中でもよいし、ハンドオーバ処理前又は処理後でもよい。ステップＳ３７以降では非登録移動局２の第１のハンドオーバは完了している。
【００８２】
ステップＳ３８では、第２のハンドオーバ条件を満たした非登録移動局２から受信したハンドオーバ要求中のハンドオーバコーズと、第１のハンドオーバをした際にフェムトセル基地局１から取得して隣接セル情報記憶部３１に記録していたハンドオーバコーズＣとを比較する。ハンドオーバ要求中のハンドオーバコーズがハンドオーバコーズＣと一致しない場合、周辺基地局３は、ステップＳ３６に移行し、第２のハンドオーバを実施せず終了する。
【００８３】
以上のように、本実施の形態にかかるフェムトセル基地局１及び周辺基地局３は、実施形態１や２で用いたセル優先度情報の代わりにハンドオーバコーズを用いる。ハンドオーバコーズが一致しない限り（マクロ基地局等も高負荷でない限り）は第２のハンドオーバは回避される。このため、本実施の形態によっても、非登録移動局２のハンドオーバのピンポン現象を抑制することができる。
【００８４】
＜発明の実施の形態４＞
本実施の形態にかかる無線通信システムは、ハンドオーバコーズに基づく第２のハンドオーバの回避という点で実施の形態３と同じである。しかしながら、実施の形態３では、フェムトセル基地局１から周辺基地局３に基地局間インターフェースを利用して直接ハンドオーバコーズＣを転送していたが、本実施の形態では、フェムトセル基地局１から周辺基地局３へのハンドオーバコーズＣの転送に非登録移動局２が介在する。非登録移動局２の構成は実施の形態２で説明した図６と同様とすればよい。また、周辺基地局３の構成も実施の形態２で説明した図７と同様とすればよい。
【００８５】
まず、本実施の形態にかかるフェムトセル基地局１の構成例を示すブロック図を図１４に示す。図１４と実施の形態３における図１０との相違点は、無線送信部１６の有無である。本実施の形態では、ハンドオーバコーズ作成部１７で作成されたハンドオーバコーズＣは、第１のハンドオーバに伴って、無線送信部１６を経由して非登録移動局２に送信される。ハンドオーバコーズＣの示す内容は実施の形態３と同様である。図１４に示したその他の要素は実施形態１や３で既出であるため、ここでは詳細な説明を省略する。
【００８６】
非登録移動局２及び周辺基地局３の構成は、セル優先度情報Ｐの代わりにハンドオーバコーズＣを非登録移動局２から周辺基地局３に送信する点を除いて、実施の形態２と同様とすればよい。
【００８７】
以下では、本実施の形態の動作を、フェムトセル基地局１、非登録移動局２、及び周辺基地局３について順に説明する。
【００８８】
まずフェムトセル基地局１の動作の具体例について、図１５のフローチャートを参照して説明する。ステップＳ１１は実施の形態３で説明した図１２のステップＳ１１と同様である。
【００８９】
ステップＳ１４では、非登録移動局２の第１のハンドオーバが実施されることに応じて、無線送信部１６は、ハンドオーバコーズ作成部１７が作成したハンドオーバコーズＣを非登録移動局２に個別に送信する。ハンドオーバコーズＣは、第１のハンドオーバ条件を満たした際の原因が記録される。ハンドオーバコーズＣは、第１のハンドオーバの処理プロセスの過程で非登録移動局２に送信されるメッセージに含めて送信されてもよいし、独立のメッセージで送信されてもよい。
【００９０】
次に、非登録移動局２の動作について、図１６のフローチャートを参照して説明する。ステップＳ２７では、非登録移動局２は、フェムトセル基地局１よりハンドオーバコーズＣを取得する。ステップＳ１４で前述したように、非登録移動局２がフェムトセル基地局１からハンドオーバコーズＣを取得するタイミングは、第１のハンドオーバ処理中でもよいし、ハンドオーバ処理前又は処理後でもよい。
【００９１】
次に周辺基地局３の動作の具体例について、図１７のフローチャートを参照して説明する。ステップＳ３２、Ｓ３３、Ｓ３５、Ｓ３６、及びＳ３８は、実施の形態３で説明した図１３における同名のステップと同様である。
【００９２】
ステップＳ３９では、周辺基地局３は、非登録移動局２からハンドオーバコーズＣを取得して、隣接セル情報記憶部３１に記録する。周辺基地局３が非登録移動局２からハンドオーバコーズＣを取得するタイミングは、第１のハンドオーバ処理中でもよいし、ハンドオーバ処理前又は処理後でもよい。ステップＳ３９以降では非登録移動局２の第１のハンドオーバは完了している。
【００９３】
以上のように、ハンドオーバコーズＣはフェムトセル基地局１と周辺基地局３の間の基地局間インターフェースを介して直接やり取りされるだけでなく、非登録移動局２を経由して送信してもよい。本実施の形態によっても、実施の形態１から３と同様に、非登録移動局２のハンドオーバのピンポン現象を抑制することができる。
【００９４】
＜発明の実施の形態５＞
上述した実施形態１から４では、フェムトセル基地局１がセル優先度情報又はハンドオーバコーズを移動局毎に作成し、ハンドオーバを実施する非登録移動局２又は周辺基地局３に個別に送信していた。これに対して、本実施の形態にかかる無線通信システムでは、フェムトセル基地局１が、フェムトセル６の状態（負荷等）を示す情報を移動局単位でなくセル全体を単位として作成し、周辺セルに送信する。
【００９５】
本実施の形態にかかる無線通信システムの構成例は、図１と同様である。図１８は、本実施の形態にかかるフェムトセル基地局１の構成例を示すブロック図である。本実施の形態にかかるフェムトセル基地局１は、無線受信部１０、端末情報記憶部１３、隣接セル情報記憶部１５、端末情報受信部１８、端末判定部１９、自セル負荷測定部１１０、及び負荷情報作成部１１１を有する。無線受信部１０、端末情報記憶部１３、隣接セル情報記憶部１５は、これまでの実施の形態で説明した同名の要素と同様なので、説明は省略する。
【００９６】
端末情報受信部１８は、移動局から送信される受信品質情報を、無線受信部１０を介して移動局毎に受信する。受信品質情報は、W-CDMAであれば基地局の下り送信電力制御に関して移動局から送信される情報、E-UTRAであれば受信品質を意味するCQI(Channel Quality Indicator)やSINR(Signal to Interference and Noise Ratio)等が該当する。また、端末情報受信部１８は、移動局の識別子（ID：Identifier）も受信する。ＩＤを受信するタイミングは、受信品質情報を受信するタイミングと同一であってもよいし、異なっていてもよい。
【００９７】
端末判定部１９は、端末情報受信部１８から移動局ＩＤを受信し、端末情報記憶部１３に記録されている登録移動局のＩＤと比較する。移動局ＩＤがいずれかの登録移動局ＩＤと一致すれば、端末判定部１９は、その移動局が登録移動局であると判定する。逆に、一致しなければ、端末判定部１９は、その移動局が非登録移動局であると判定する。判定結果は自セル負荷測定部１１０に送信される。
【００９８】
自セル負荷測定部１１０は、自セルの負荷を測定する。このとき、自セル負荷測定部１１０は、登録移動局と非登録移動局を識別し、登録移動局による負荷を測定するとよい。また、自セル負荷測定部１１０は、登録移動局による負荷と、非登録移動局による負荷を別々に求めてもよい。W-CDMAであれば、移動局からの送信電力制御情報を基に基地局の送信電力を計算し、送信電力に基づいて所定の計算式に従い負荷を計算すればよい。E-UTRAであれば、基地局が有するスケジューラがCQI又はSINR等の品質情報に基づいて使用リソースブロックを求めるので、全リソースブロック数に対する使用リソースブロック数（リソースブロック使用率）を自セルの負荷を示す指標として用いればよい。特に登録移動局による負荷の測定結果を負荷情報作成部１１１に送信する。
【００９９】
負荷情報作成部１１１は、自セル負荷測定部１１０が測定した登録移動局の負荷を、離散化するなどしてビット情報を作成する。作成された負荷情報は、周辺基地局３に送信される。負荷情報の送信は、W-CDMAであれば、基地局を制御するRNC (Radio Network Controller)を経由して行えばよい。また、E-UTRAであれば、X2インターフェースを介して直接周辺基地局３に送信してもよいし、S1インターフェースを介してフェムトGWを経由して送信してもよい。
【０１００】
次に本実施の形態における周辺基地局３の構成例を示すブロック図を図１９に示す。本実施の形態にかかる周辺基地局３は、無線受信部３０、隣接セル情報記憶部３１、ハンドオーバ判定部３２、端末情報記憶部３３、ハンドオーバ実行部３４、及び他セル負荷情報受信部３５を有する。他セル負荷情報受信部３５以外の要素は、実施の形態３で説明した図１１中の同一名称の要素と同様であるため、各要素の説明は省略する。ただし、隣接セル情報記憶部３１は、フェムトセル６を含む隣接セルの負荷状況を記録する。
【０１０１】
他セル負荷情報受信部３５は、フェムトセル基地局１が送信した負荷情報を受信し、隣接セル情報記憶部３１に保持された情報を更新するかを判断する。例えば、フェムトセル基地局１から受信した負荷情報が所定の閾値を超える場合にフェムトセル６が高負荷であると判定し、隣接セル情報記憶部３１に保持された情報を更新してもよい。
【０１０２】
以下では、本実施の形態の動作を、フェムトセル基地局１と周辺基地局３について順に説明する。まずフェムトセル基地局１の動作の具体例について、図２０のフローチャートを参照して説明する。
【０１０３】
ステップＳ１５では、無線受信部１０を介して端末情報受信部１８が、各移動局から受信品質の情報を受信する。
【０１０４】
ステップＳ１６では、端末判定部１９は、端末情報受信部１８によって受信された品質情報の送信元が登録移動局か非登録移動局のいずれであるかを判定する。自セル負荷測定部１１０は、登録移動局と非登録移動局に分けてフェムトセル６の負荷を計算する。
【０１０５】
ステップＳ１７では、負荷情報作成部１１１は、自セル負荷測定部１１０で計算された登録移動局の負荷を負荷情報に加工して、非登録移動局が第１のハンドオーバを実施したターゲット基地局（周辺基地局３）に送信する。
【０１０６】
次に周辺基地局３の動作の具体例について、図２１のフローチャートを参照して説明する。ステップＳ３２、Ｓ３３、Ｓ３５、及びＳ３６は、実施の形態２で説明した図９における同名のステップと同様である。
【０１０７】
ステップＳ３１０では、周辺基地局３の他セル負荷情報受信部３５は、フェムトセル基地局１から送信された登録移動局の負荷情報を受信する。
【０１０８】
ステップＳ３１１では、他セル負荷情報受信部３５は、フェムトセル基地局１における登録移動局の負荷を所定の閾値Ａと比較する。登録移動局の負荷が閾値Ａより高いことは、フェムトセル基地局１は登録移動局でほぼ全てリソースが使用されており、優先度の低い非登録移動局が通信するためのリソースが十分でないことを意味する。登録移動局の負荷が閾値Ａより高いときはステップＳ３１２に移行し、閾値Ａ以下のときサービング基地局は何もしない。なお、フェムトセル６の負荷が閾値Ａ以下であって、過去にステップＳ３１２に従いフェムトセル６が除外リストに登録されていた場合は、他セル負荷情報受信部３５は、フェムトセルを除外リストから削除する処理を実施してもよい。
【０１０９】
ステップＳ３１２では、非登録移動局２をフェムトセル基地局１にハンドオーバさせないように、他セル負荷情報受信部３５は、隣接セルリスト情報記憶部３１に記録されているフェムトセル６に対する隣接セル情報を更新する。具体的には、フェムトセル６をハンドオーバ先として選択させずにハンドオーバを禁止するセルのリストである除外リストに登録する。
【０１１０】
ステップＳ３１３では、ハンドオーバ判定部３２は、非登録移動局２からハンドオーバ要求を受信した場合に、ハンドオーバ要求中にハンドオーバ先のセルとして要求されているセルのＩＤと、除外リストとを比較する。ハンドオーバ先のセルが除外リストに含まれる場合は、ハンドオーバが禁止されているためステップＳ３６に移行し、第２のハンドオーバを実施せず終了する。
【０１１１】
以上のように、本実施の形態にかかるフェムトセル基地局１及び周辺基地局３は、実施形態１から４までの移動局毎に作成される情報とは異なり、移動局単位でなくセル全体を単位として作成されるフェムトセル６の負荷情報を用いる。フェムトセル基地局１における登録移動局の負荷を測定して、負荷が高い場合にはフェムトセル６を除外リストに移行する。これにより第２のハンドオーバを回避できるので、実施の形態１から４と同様に、非登録移動局２のハンドオーバのピンポン現象を抑制することができる。
【０１１２】
＜発明の実施の形態６＞
本実施の形態にかかる無線通信システムは、実施の形態５と同様にフェムトセル６の状態（負荷等）を示す情報を作成し、周辺セルに送信する。ただし、実施の形態５ではフェムトセル基地局１において登録移動局の負荷が高いときは、周辺基地局３においてフェムトセル６を除外リストに登録した。これに対して本実施の形態では、周辺基地局３は、フェムトセル６における登録移動局の負荷が高い場合に、第２のハンドオーバ条件の成立判定に用いられるセル固有の受信電力オフセットを調整して非登録移動局２に個別に送信する。このセル固有の受信電力オフセットは、3GPPではCell Individual Offsetと呼ばれる。
【０１１３】
本実施の形態にかかる無線通信システムの構成例は、図１と同様である。フェムトセル基地局１の構成は実施の形態５と同様とすればよい。また、非登録移動局２の構成は実施の形態１と同様とすればよい。ただし、後述するように、本実施の形態にかかる非登録移動局２は、サービング基地局（周辺基地局３）から受信した受信電力オフセットを用いて第２のハンドオーバ条件の成立を判定する。
【０１１４】
本実施形態における周辺基地局３の構成例を示すブロック図を図２２に示す。周辺基地局３は、隣接セル情報記憶部３１、他セル負荷情報受信部３５、及び無線送信部３６を有する。無線送信部３６以外の要素は、実施の形態５で説明した図１９中の同一名称の要素と同様であるため、各要素の説明は省略する。
【０１１５】
無線送信部３６は、フェムトセル基地局１における無線送信部１６と同様に、移動局への下り制御信号や下りデータを、送信アンテナを介して送信する。無線送信部１６は、Ｗ−ＣＤＭＡやＥ−ＵＴＲＡ、またはIEEE 802.16m等の無線方式に適合した基地局側の送信部とすればよい。ここでは、無線送信部３６の構成の詳細に関する説明は省略する。
【０１１６】
以下では、本発明を適用した実施の形態の動作を、周辺基地局３と非登録移動局２について順に説明する。フェムトセル基地局１の動作の具体例は、実施の形態５で述べたフェムトセル基地局１の動作と同様とすればよい。
【０１１７】
まずサービング基地局３の動作の具体例について、図２３のフローチャートを参照して説明する。図２３中のステップＳ３１０とＳ３１１は、実施の形態５で説明した図２１における同名のステップと同様である。
【０１１８】
ステップＳ３１４では、フェムトセル基地局１における登録移動局の負荷が閾値Ａより高いときは、非登録移動局２をフェムトセル基地局１にハンドオーバさせないように、非登録移動局に対して供給するフェムトセル基地局１のセル固有オフセットOcnを低減する。セル固有オフセットは、第２のハンドオーバ条件の成立判定において、対応するセルからのパイロット信号の受信電力に加算される。従って、セル固有オフセットの大きさを調整することで、対応するセルへのハンドオーバの可否を制御できる。本ステップでは、フェムトセル６のセル固有オフセットをマイナス値とすることでフェムトセル６からのパイロット信号の受信電力の評価値を低減すればよい。これにより、フェムトセル６からのパイロット信号受信電力がサービングセル（他セル７）からのパイロット信号の受信電力を上回らないようにすることができる。
【０１１９】
ステップＳ３１５では、更新したOcnを非登録移動局２に対して個別に送信する。Ocnの送信には、例えば、測定の構成を変更するために非登録移動局２に対して送信されるメッセージを用いればよい。第２のハンドオーバ条件の成立判定は非登録移動局２で行われるため、セル固有オフセットOcnを非登録移動局２に渡す必要がある。
【０１２０】
次に非登録移動局２の動作の具体例について、図２４のフローチャートを参照して説明する。ステップＳ２４とＳ２５は、実施の形態１で説明した図５中の同名のステップと同様である。
【０１２１】
ステップＳ２９では、非登録移動局２は、非登録移動局２の現在のサービング基地局である周辺基地局３から、フェムトセル６に関する更新されたセル固有オフセットOcnを受信する。非登録移動局２は、第２のハンドオーバ条件の成立判定には更新されたOcnを用いる。
【０１２２】
ステップＳ２１０では、非登録移動局２は、更新されたOcnを用いて第２のハンドオーバの条件を成立判定する。フェムトセル６に関するOcnは以前よりも小さな値に更新されているため、フェムトセル６に非登録移動局２の接続先を切り替えるための第２のハンドオーバ条件は満たしにくくなる。それでもなお、第２のハンドオーバ条件が満たされれば、ステップＳ２４に移行し、非登録移動局２はハンドオーバ要求をサービング基地局（周辺基地局３）に送信する。
【０１２３】
以上のように、本実施の形態にかかるフェムトセル基地局１、非登録移動局２、及びサービング基地局３は、実施の形態５と同様に、移動局単位でなくセル全体を単位として作成されるフェムトセル６の負荷情報を用いる。フェムトセル基地局１における登録移動局の負荷を測定して、負荷が高い場合には第２のハンドオーバ条件を満たしにくくするようにセル固有オフセットを低減する。これにより第２のハンドオーバを抑制できるので、実施の形態１から５と同様に、非登録移動局２のハンドオーバのピンポン現象を抑制することができる。
【０１２４】
＜発明の実施の形態７＞
本実施の形態にかかる無線通信システムの構成例は、図１と同様である。本実施の形態にかかる無線通信システムに含まれるフェムトセル基地局１は、非登録移動局２を周辺基地局３にハンドオーバ（第１のハンドオーバ）させた後、暫くの間、該非登録移動局２のフェムトセル６へのハンドオーバ（第２のハンドオーバ）を拒否する。これまでの実施の形態１から６のように、第１のハンドオーバに際してフェムトセル基地局１が非登録移動局２又は周辺基地局３に対して情報を送信することはない。非登録移動局２の第２のハンドオーバを拒否する期間は、予め定めてもよいし、フェムトセル６の負荷状況に応じて動的に変更してもよい。例えば、フェムトセル６の登録移動局による負荷が基準を下回るまでの間、第２のハンドオーバを拒否してもよい。
【０１２５】
図２５は、本実施の形態にかかるフェムトセル基地局１の構成例を示すブロック図である。フェムトセル基地局１は、無線受信部１０、ハンドオーバ判定部１１、ハンドオーバ実行部１２、端末情報記憶部１３、及び隣接セル情報記憶部１５を有する。これらの各要素は、図２及び１０等に示した同一名称の要素と同様である。ただし、ハンドオーバ判定部１１は、周辺基地局３とシグナリングし、非登録移動局２の第２のハンドオーバを制御する。ハンドオーバ判定部１１は、第２のハンドオーバの開始要求を周辺基地局３から受信した場合に、過去の第１のハンドオーバの実行に起因する禁止期間内であるか否かに基づいて、第２のハンドオーバを許可するかを判定する。
【０１２６】
フェムトセル基地局１の動作の具体例について、図２６のフローチャートを参照して説明する。ステップＳ１１は、実施形態１から４において説明した同一名のステップと同様である。
【０１２７】
ステップＳ１８では、ハンドオーバ判定部１１は、周辺基地局３からフェムトセル基地局１への非登録移動局２のハンドオーバ（第２のハンドオーバ）を所定の時間禁止するように動作する。禁止の対象となる非登録移動局２は、周辺基地局３に第１のハンドオーバを実施した非登録移動局だけでもよいし、端末情報記憶部１３に記録されている登録移動局に一致しないその他の非登録移動局２も対象としてもよい。所定の時間は、予めパラメータとして指定してもよいし、フェムトセル基地局１が輻輳状態から回復するまでの時間としてもよい。
【０１２８】
また、第２のハンドオーバの拒否の判断は、フェムトセル基地局１以外の装置、例えば、非登録移動局２が行ってもよい。すなわち、非登録移動局２は、フェムトセル基地局１から周辺基地局３への第１のハンドオーバを実施した後、所定の期間、フェムトセル基地局１へのハンドオーバを行うためのハンドオーバ要求を出さないようにしてもよい。
【０１２９】
以上のように、本実施の形態にかかるフェムトセル基地局１は、輻輳等の要因によって非登録移動局２の第２のハンドオーバを許可できない間は、第２のハンドオーバを拒否する。これにより第２のハンドオーバが回避されるので、本実施の形態によっても、非登録移動局２のハンドオーバのピンポン現象を抑制することができる。
【０１３０】
＜その他の実施の形態＞
上述した発明の実施の形態１から７は、Ｗ−ＣＤＭＡ方式の無線通信システムに本発明を適用する場合について説明した。しかしながら、本発明の適用先の無線通信方式は特に限定されるものではない。例えば、上り回線と下り回線で同一の無線周波数を時間的に分けて使用するＴＤＤ（Time Division Duplex）方式を採用する無線通信システム（例えばIEEE 802.16m）にも本発明は適用可能である。また、例えば、Ｗ−ＣＤＭＡ方式ではなくＥ−ＵＴＲＡ方式やＷｉＭＡＸの無線通信システムにも本発明は適用可能である。
【０１３１】
また、上述した発明の実施の形態のフェムトセル基地局の構成は一例であり、それ以外の構成も可能である。例えば、ハンドオーバの判定や各情報記憶部は、上位のフェムトＧＷ４や、ＲＮＣ（Ｒａｄｉｏ Ｎｅｔｗｏｒｋ Ｃｏｎｔｒｏｌｌｅｒ）のようなネットワーク５に配置された装置によって実行されてもよい。例えば、ハンドオーバ判定部１１、端末情報記憶部１３、及び隣接セル情報記憶部１５のうち少なくとも一つがRNC内に位置し、フェムトセル基地局１からハンドオーバ要求を受信して、ハンドオーバ可否の判定を実施するとともに、ハンドオーバの判定結果をフェムトセル基地局１に送信すればよい。このように、ハンドオーバ制御はフェムトセル基地局１とこれが接続するフェムトＧＷ４及び上位ネットワーク５との間で任意に分担させることが可能である。セル優先度情報の作成、ハンドオーバコーズの作成も同様である。
【０１３２】
また、発明の実施の形態５及び６では、フェムトセル基地局１の負荷として登録移動局の負荷を測定する例について具体的に説明したが、登録移動局と非登録移動局を合わせた負荷を測定してもよい。
【０１３３】
また、発明の実施の形態１から７は、フェムトセル基地局に本発明を適用する場合について説明した。しかしながら、本発明はフェムトセル基地局に限らず、フェムトセル基地局より広範囲をカバーするピコ基地局、マイクロ基地局、及びマクロ基地局であっても適用可能である。
【０１３４】
さらに、本発明は上述した実施の形態のみに限定されるものではなく、既に述べた本発明の要旨を逸脱しない範囲において種々の変更が可能であることは勿論である。
【０１３５】
＜実施例＞
以下では、上述した発明の実施の形態１から６に対応する具体的な実施例について、図面を参照しながら詳細に説明する。各実施例では、3GPPにおけるLTEを想定した場合のシーケンス図を示す。なお、各図面において、同一要素には同一の符号が付されており、説明の明確化のために必要な場合を除いて、重複説明は省略する。
【０１３６】
＜実施例１＞
本実施例は、発明の実施の形態１にかかる実施例である。図２７にシーケンス図を示す。以下、各メッセージを順に説明する。
【０１３７】
まず、フェムトセル基地局１のハンドオーバ判定部１１は、前述の第１のハンドオーバ条件の成立によって、非登録移動局２を周辺基地局３にハンドオーバすべきと判定する（Ｍ１−１）。フェムトセル基地局１は、隣接セル情報に基づいてハンドオーバ先の周辺基地局３を特定し、周辺基地局３に対してハンドオーバさせる非登録移動局２の情報をHandover Requestメッセージとして送信する（Ｍ１−２）。周辺基地局３は、Handover Requestメッセージを受信し、自基地局にハンドオーバを許可する場合は、Handover Request Acknowledgement (Ack)メッセージをフェムトセル基地局に返信する（Ｍ１−３）。
【０１３８】
フェムトセル基地局１のセル優先度情報作成部１４は、フェムトセル基地局１への第２のハンドオーバを回避するために、他セル７を含む周辺セルよりフェムトセル６の接続優先度を下げるようにセル優先度情報を作成する（Ｍ１−４）。作成したセル優先度情報は、非登録移動局２がフェムトセル基地局１との接続を解除する際にHandover Commandの一部として、非登録移動局２に送信される（Ｍ１−５）。
【０１３９】
非登録移動局２は、周辺基地局３にハンドオーバする旨のメッセージをフェムトセル基地局１からHandover Commandとして受信した後、周辺基地局３に対して自局の処理が完了したことをHandover Completeメッセージとして送信する（Ｍ１−６）。周辺基地局３は、Handover Completeメッセージを受信し、自局の処理が完了したことをHandover Complete Ackメッセージとして非登録移動局２に送信する（Ｍ１−７）。Ｍ１−７にて第１のハンドオーバが完了する。その後、非登録移動局２は、フェムトセル基地局１からのパイロット信号を受信する（Ｍ１−８）。しかしながら、非登録移動局２ではフェムトセル６の接続優先度が周辺基地局３の配下のセル７より小さく設定されているので、周辺基地局３に対して第２のハンドオーバの要求を送信しない。以上のようにして第２のハンドオーバが回避されるので、非登録移動局２のハンドオーバのピンポン現象を抑制することができる。
【０１４０】
＜実施例２＞
本実施例は、発明の実施の形態２にかかる実施例である。図２８にシーケンス図を示す。メッセージＭ１−１からＭ１−８までは、実施例１と同様なので、説明は省略する。ただし、非登録移動局２は、フェムトセル基地局１から受信したセル優先度情報をメッセージＭ１−６の中に含めて周辺基地局３に送信している。実施例２は実施例１に対してメッセージＭ２−１以降が追加される。
【０１４１】
非登録移動局２は、フェムトセル基地局１からのパイロット信号の受信電力が大きく、第２のハンドオーバ条件を満たしたので、その測定結果をMeasurement Reportメッセージで現在接続している周辺基地局３に送信する（Ｍ２−１）。周辺基地局３は、非登録移動局２から事前にセル優先度情報を取得しているので、Measurement Reportメッセージを送信した非登録移動局２に関して、フェムトセル６の接続優先度を自セル７の優先度と比較する。その結果、フェムトセル６の優先度が低いために、ハンドオーバを許可しないことを示すHandover Preparation Failureメッセージを作成し、これを非登録移動局２に送信する（Ｍ２−２）。非登録移動局２は、周辺基地局３からHandover Preparation Failureメッセージを受信し、ハンドオーバが失敗したと認識する（Ｍ２−３）。以上のようにして第２のハンドオーバが回避されるので、非登録移動局２のハンドオーバのピンポン現象を抑制することができる。
【０１４２】
＜実施例３＞
本実施例は、発明の実施の形態３にかかる実施例である。図２９にシーケンス図を示す。本実施例と実施例２との相違点は、セル優先度情報の作成がハンドオーバコーズの作成に置き換わり、それをHandover RequestメッセージＭ１−２で送信している点である。
【０１４３】
フェムトセル基地局１のハンドオーバコーズ作成部１７は、第１のハンドオーバ条件を満たした旨のハンドオーバコーズＣを作成する（Ｍ３−１）。作成したハンドオーバコーズＣは、Handover Requestメッセージを用いて、フェムトセル基地局１から周辺基地局３に送信される（Ｍ１−２）。周辺基地局３はハンドオーバコーズを用いて、非登録移動局の第２のハンドオーバを制限する（Ｍ２−２）。これにより、非登録移動局２のハンドオーバのピンポン現象を抑制することができる。
【０１４４】
＜実施例４＞
本実施例は、発明の実施の形態４にかかる実施例である。図３０にシーケンス図を示す。本実施例と実施例３との相違点は、ハンドオーバコーズＣの作成（Ｍ３−１）が、Handover Request AckメッセージＭ１−３の後に実施される点、及びハンドオーバコーズＣが非登録移動局２を介してHandover Commandメッセージ（Ｍ１−５）とHandover Completeメッセージ（Ｍ１−６）により周辺基地局３に送信される点である。その他のメッセージは実施例３と同様なので、説明は省略する。
【０１４５】
＜実施例５＞
本実施例は、発明の実施の形態５にかかる実施例である。図３１にシーケンス図を示す。本実施例では、フェムトセル基地局１が負荷を測定し、周辺基地局がその負荷に基づいて、ハンドオーバを禁止するセルのリストである除外リストにフェムトセル６を加えるか否かを決定する。なお、図３１のシーケンス図の先頭時点において第１のハンドオーバは実施済みとする。
【０１４６】
フェムトセル基地局１の自セル負荷測定部１１０は、登録移動局の負荷を測定する（Ｍ５−１）。測定した負荷は、Load Informationメッセージにより周辺基地局３に送信される（Ｍ５−２）。負荷の測定結果を受信した周辺基地局３は、他セル負荷情報受信部３５において負荷を所定の閾値と比較し、所定の閾値を上回るような高負荷の場合は、フェムトセル６を除外リストに登録し、隣接セル情報を更新する（Ｍ５−３）。以降は既出のメッセージであるが、本実施例では、周辺基地局３は、非登録移動局２からMeasurement Reportメッセージ（Ｍ２−１）を受信したことに応じて、除外リストに基づいて第２のハンドオーバの可否を判定する。以上のようにして第２のハンドオーバが回避されるので、非登録移動局２のハンドオーバのピンポン現象を抑制することができる。
【０１４７】
＜実施例６＞
本実施例は、発明の実施の形態６にかかる実施例である。図３２にシーケンス図を示す。Ｍ５−１、Ｍ５−２は実施例５と同様なので、Ｍ５−４以降について説明する。本実施例では、フェムトセル基地局１の負荷に基づいてフェムトセル６への第２のハンドオーバ条件の判定に用いられるセル固有オフセットを調整する。なお、図３２のシーケンス図の先頭時点において第１のハンドオーバは実施済みとする。
【０１４８】
周辺基地局３は、登録移動局による負荷の測定結果をフェムトセル基地局１から受信すると、他セル負荷情報受信部３５において負荷を所定の閾値と比較する。そして、フェムトセル基地局１（フェムトセル６）が所定の閾値を上回るような高負荷の場合は、非登録移動局２に対して通知するフェムトセル基地局１に対するセル固有オフセットOcnを低減する（Ｍ５−４）。周辺基地局３は、変更後のセル固有オフセットをRRC Connection Reconfigurationメッセージにより非登録移動局に送信する（Ｍ５−５）。非登録移動局２は、セル固有オフセットの設定の更新が完了したことをRRC Connection Reconfiguration Completeメッセージを用いて周辺基地局３に伝える（Ｍ５−６）。Ｍ５−６以降では、非登録移動局２はフェムトセル基地局１からパイロット信号を受信するが（Ｍ１−８）、たとえその受信電力が高くても、セル固有オフセットOcnを低減したことで第２のハンドオーバ条件を満たし難くなる。このため、第２のハンドオーバのためのハンドオーバ要求の送信が抑制される（Ｍ１−９）。以上のようにして第２のハンドオーバが抑制されるので、非登録移動局２のハンドオーバのピンポン現象を抑制することができる。
【０１４９】
上述した各実施の形態によれば、Hybridアクセス方式のフェムトセル基地局１において、登録移動局の優先的な接続を維持しながら、非登録移動局２のハンドオーバのピンポン現象を抑制できる。その理由は、登録移動局と非登録移動局２とを区別し、非登録移動局２に関してのみ、周辺基地局３に接続している非登録移動局２の接続先がフェムトセル基地局１に切り替わること（第２のハンドオーバ）を制限するためである。
【０１５０】
例えば、上述した発明の実施の形態１及び２では、非登録移動局２の第１のハンドオーバを契機として、フェムトセル６のセル優先度を非登録移動局２に関して相対的に下げる。このとき、登録移動局に関しては、フェムトセル６のセル優先度を変更しない。これにより、登録移動局と非登録移動局とが区別され、非登録移動局２に関してのみ、フェムトセル６がハンドオーバ先として選択され難くなる。
【０１５１】
また、発明の実施の形態３及び４では、非登録移動局２の第１のハンドオーバを契機として、フェムトセル基地局１は、第１のハンドオーバのハンドオーバコーズ（例えばフェムトセル６の負荷増大等を示す）を周辺基地局３に通知する。これにより、周辺基地局３はフェムトセル基地局１が非登録移動局２の第２のハンドオーバを受け付けない状況であることを認識できる。周辺基地局３は、非登録移動局を識別し、ハンドオーバ要求元が非登録移動局２である場合には除外リストを参照し、除外リストに含まれるフェムトセル６へのハンドオーバを抑止する。これにより、非登録移動局２に関してのみ、フェムトセル６がハンドオーバ先として選択され難くなる。
【０１５２】
また、発明の実施の形態５では、フェムトセル基地局１は、フェムトセル基地局１の負荷増大等を示す情報を周辺基地局３に通知する。周辺基地局３は、通知された情報に基づいてフェムトセル６を除外リストに登録する。周辺基地局３は、非登録移動局を識別し、ハンドオーバ要求元が非登録移動局２である場合には除外リストを参照し、除外リストに含まれるフェムトセル６へのハンドオーバを抑止する。これにより、非登録移動局２に関してのみ、フェムトセル６がハンドオーバ先として選択され難くなる。
【０１５３】
また、発明の実施の形態６では、フェムトセル基地局１は、フェムトセル基地局１の負荷増大等を示す情報を周辺基地局３に通知する。周辺基地局３は、通知された情報に基づいて、非登録移動局２に対して通知するフェムトセル６のセル固有オフセットを低減するように更新する。このとき、フェムトセル基地局１の登録移動局に対して通知するフェムトセル６のセル固有オフセットは更新しない。これにより、非登録移動局２に関してのみ、フェムトセル６がハンドオーバ先として選択され難くなる。
【０１５４】
発明の実施の形態６では、フェムトセル基地局１は、登録移動局と非登録移動局とを区別し、非登録移動局２に関してのみ、フェムトセル６へのハンドオーバを拒否する。これにより、非登録移動局２に関してのみ、周辺基地局３に接続している非登録移動局２の接続先がフェムトセル基地局１に切り替わること（第２のハンドオーバ）を制限できる。
【０１５５】
上記の実施形態の一部又は全部は、以下の付記のようにも記載され得るが、以下には限られない。
【０１５６】
（付記１）
少なくとも１つの非登録端末及び少なくとも１つの登録端末が共に無線接続可能であり、前記登録端末との間の通信を前記非登録端末との間の通信より優先する第１の無線局と、
第２の無線局と、
前記第１の無線局に関する所定の条件が成立し、かつ前記第２の無線局に接続している無線端末が前記登録端末では無く前記非登録端末である場合に、前記無線端末の接続先が前記第２の無線局から前記第１の無線局に切り替わることを制限する手段と、
を備える無線通信システム。
【０１５７】
（付記２）
前記手段は、
前記第１の無線局又は前記第１の無線局と接続された第１の制御装置に配置され、前記第１の無線局に接続している前記非登録端末の接続先が前記第２の無線局に切り替わることに応じて、前記第１の無線局の配下にある第１のセルの優先度を相対的に低下させたことを示すともに、前記登録端末を除く前記非登録端末の接続先切り替えに関して適用されるセル優先度情報を生成する情報作成部と、
前記非登録端末に配置され、前記第２の無線局から前記第１の無線局への接続先の切り替えを要求するか否かを、前記第１の無線局又は前記第１の制御装置から転送された前記セル優先度情報に基づいて判定するハンドオーバ判定部と、
を備える、付記１に記載の無線通信システム。
【０１５８】
（付記３）
前記ハンドオーバ判定部は、前記セル優先度情報で示される前記第１のセルの優先度が、前記第２の無線局の配下の第２のセルの優先度を上回ることを条件として、前記第２の無線局から前記第１の無線局への接続先の切り替えを要求することを決定する、付記２に記載の無線通信システム。
【０１５９】
（付記４）
前記手段は、
前記第１の無線局又は前記第１の無線局と通信可能な第１の制御装置に配置され、前記第１の無線局に接続している前記非登録端末の接続先が前記第２の無線局に切り替わることに応じて、前記第１の無線局の配下にある第１のセルの優先度を相対的に低下させたことを示すともに、前記登録端末を除く前記非登録端末の接続先切り替えに関して適用されるセル優先度情報を生成する情報作成部と、
前記第２の無線局又は前記第２の無線局と通信可能な第２の制御装置に配置され、前記第２の無線局に接続中の前記非登録端末の接続先を前記第１の無線局へ変更する接続切り替えを実施するか否かを、前記セル優先度情報に基づいて判定するハンドオーバ判定部と、
を備える、付記１に記載の無線通信システム。
【０１６０】
（付記５）
前記セル優先度情報は、前記第１の無線局又は前記第１の制御装置から、前記非登録端末を経由して前記第２の無線局又は前記第２の制御装置に送られる、付記４に記載の無線通信システム。
【０１６１】
（付記６）
前記情報作成部は、前記第２の無線局の配下の第２のセルの優先度より前記第１のセルの優先度が低くなるように前記セル優先度情報を生成し、
前記ハンドオーバ判定部は、前記セル優先度情報で示される前記第１のセルの優先度が、前記第２の無線局の配下の第２のセルの優先度を上回ることを条件として、前記第２の無線局に接続中の前記非登録端末の接続先を前記第１の無線局へ変更する接続切り替えを実施することを決定する、付記４又は５に記載の無線通信システム。
【０１６２】
（付記７）
前記手段は、
前記第１の無線局の負荷が第１の閾値を上回ることを条件として、前記第１の無線局に接続している前記非登録端末の接続先を前記第２の無線局に切り替える接続切り替えを実施するハンドオーバ実行部をさらに備える、付記２〜６のいずれか１項に記載の無線通信システム。
【０１６３】
（付記８）
前記手段は、
前記第１の無線局に接続している少なくとも１つの前記登録端末による負荷が第１の閾値を上回ることを条件として、前記第１の無線局に接続している前記非登録端末の接続先を前記第２の無線局に切り替える接続切り替えを実施するハンドオーバ実行部をさらに備える、付記２〜６のいずれか１項に記載の無線通信システム。
【０１６４】
（付記９）
前記手段は、
前記第１の無線局に接続している前記登録端末が優先度の高い呼を開始することを条件として、前記第１の無線局に接続している前記非登録端末の接続先を前記第２の無線局に切り替える接続切り替えを実施するハンドオーバ実行部をさらに備える、付記２〜６のいずれか１項に記載の無線通信システム。
【０１６５】
（付記１０）
前記情報作成部は、前記所定の条件の解除に応じて、前記第１のセルの優先度を低下させる前の値に戻したことを示すセル優先度情報を生成する、付記２〜９のいずれか１項に記載の無線通信システム。
【０１６６】
（付記１１）
前記手段は、
前記第１の無線局又は前記第１の無線局と通信可能な第１の制御装置に配置され、前記第１の無線局に接続している前記非登録端末の接続先が前記第２の無線局に切り替わることに応じて、当該接続切り替えの原因を示す原因情報を生成する情報作成部と、
前記第２の無線局又は前記第２の無線局と通信可能な第２の制御装置に配置され、前記第２の無線局に接続している前記無線端末が前記登録端末では無く前記非登録端末である場合に、前記無線端末の接続先を前記第２の無線局から前記第１の無線局へ変更する接続切り替えを実施するか否かを、前記前記第１の無線局又は前記第１の制御装置から転送された前記原因情報と、前記無線端末から受信されるメッセージに含まれる原因情報との照合結果に基づいて判定するハンドオーバ判定部と、
を備える、付記１に記載の無線通信システム。
【０１６７】
（付記１２）
前記原因情報は、前記第１の無線局又は前記第１の制御装置から、前記非登録端末を経由して前記第２の無線局又は前記第２の制御装置に送られる、付記１１に記載の無線通信システム。
【０１６８】
（付記１３）
前記手段は、
前記第１の無線局又は前記第１の無線局と通信可能な第１の制御装置に配置され、前記第１の無線局の負荷状況を示す負荷情報を作成する情報作成部と、
前記第２の無線局又は前記第２の無線局と通信可能な第２の制御装置に配置され、前記第１の無線局又は前記第１の制御装置から転送された前記負荷情報に基づいて前記第１の無線局を前記非登録端末のハンドオーバ先から除外するかを決定する負荷情報受信部と、
前記第２の無線局又は前記第２の無線局と通信可能な第２の制御装置に配置され、前記第２の無線局に接続している前記無線端末が前記登録端末では無く前記非登録端末である場合に、前記無線端末の接続先を前記第２の無線局から前記第１の無線局へ変更する接続切り替えを実施するか否かを、前記負荷情報受信部による決定に基づいて判定するハンドオーバ判定部と、
を備える、付記１に記載の無線通信システム。
【０１６９】
（付記１４）
前記負荷情報受信部は、前記負荷情報より判定される前記第１の無線局の負荷が所定の基準を超える場合に、前記第１の無線局又は前記第１の無線局の配下の第１のセルを除外リストに登録し、
前記ハンドオーバ判定部は、前記第１の無線局又は前記第１のセルが前記除外リストに指定されている場合に、前記第２の無線局に接続中の前記非登録端末の接続先を前記第１の無線局へ変更する接続切り替えを抑止する、付記１３に記載の無線通信システム。
【０１７０】
（付記１５）
前記手段は、
前記第１の無線局又は前記第１の無線局と通信可能な第１の制御装置に配置され、前記第１の無線局の負荷状況を示す負荷情報を作成する情報作成部と、
前記第２の無線局又は前記第２の無線局と通信可能な第２の制御装置に配置され、前記第２の無線局に接続中の前記非登録端末の接続先を前記第１の無線局へ変更する接続切り替えを実施するか否かを、前記第２の無線局に接続中の前記非登録端末から通知されるメッセージに含まれる前記第１の無線局からのパイロット信号の受信品質の測定結果に基づいて判定するハンドオーバ判定部と、
前記第２の無線局又は前記第２の制御装置に配置され、前記第１の無線局又は前記第１の制御装置から転送された前記負荷情報に基づいて、前記非登録端末によって前記パイロット信号の受信品質の測定結果に付加されるオフセット値を、前記第２の無線局に接続中の前記非登録端末の前記第２の無線局から前記第１の無線局への接続切り替えが発生し難くなるように調整し、前記第２の無線局に接続中の前記非登録端末に送信する送信部と、
を備える、付記１に記載の無線通信システム。
【０１７１】
（付記１６）
前記送信部は、前記負荷情報より判定される前記第１の無線局の負荷が所定の基準を超える場合に、前記オフセット値の調整を行う、付記１５に記載の無線通信システム。
【０１７２】
（付記１７）
前記負荷情報は、前記第１の無線局に接続している少なくとも１つの前記登録端末による負荷を示す、付記１５又は１６に記載の無線通信システム。
【０１７３】
（付記１８）
前記手段は、
前記第１の無線局又は前記第１の無線局と通信可能な第１の制御装置に配置され、前記第１の無線局と前記第２の無線局の間における無線端末の接続切り替えを制御するハンドオーバ実行部を備え、
前記ハンドオーバ実行部は、前記第１の無線局に接続している前記非登録端末の接続先が前記第２の無線局に切り替えられた後の第１の期間中、前記第２の無線局に接続している前記無線端末が前記登録端末では無く前記非登録端末である場合に、前記無線端末の接続先を前記第２の無線局から前記第１の無線局へ変更する接続切り替えを拒否する、
付記１に記載の無線通信システム。
【０１７４】
（付記１９）
前記所定の条件は、
（ａ）前記第１の無線局の負荷が相対的に増大していること、及び
（ｂ）過去に前記第１の無線局から前記第２の無線局へ前記非登録移動局の接続切り替えが行われたこと、
のうち少なくとも１つを含む付記１〜１８のいずれか１項に記載の無線通信システム。
【０１７５】
（付記２０）
前記第１の無線局はフェムトセル基地局であり、
前記第２の無線局は、マクロ基地局、マイクロ基地局、又はフェムトセル基地局である、
付記１〜１９のいずれか１項に記載の無線通信システム。
【０１７６】
（付記２１）
少なくとも１つの非登録端末及び少なくとも１つの登録端末が共に無線接続可能であり、前記登録端末との間の通信を前記非登録端末との間の通信より優先する無線送受信部と、
自局に接続している前記非登録端末の接続先が他の無線局に切り替わることに応じて、切り替え対象の前記非登録移動局の接続先が再び自局に切り替わることを制限する制御に使用され、前記非登録端末、前記他の無線局、又は前記他の無線局を制御する制御装置に送信される情報を作成する情報作成部と、
を備える無線局装置。
【０１７７】
（付記２２）
前記情報は、前記第１の無線局の配下にある第１のセルの優先度を相対的に低下させたことを示すともに、前記登録端末を除く前記非登録端末の接続先切り替えに関して適用されるセル優先度情報である、付記２１に記載の無線局装置。
【０１７８】
（付記２３）
前記セル優先度情報は、前記他の無線局から前記無線局装置への接続先の切り替えを要求するか否かの前記非登録端末による判定に使用される、付記２１に記載の無線局装置。
【０１７９】
（付記２４）
前記セル優先度情報は、前記第２の無線局に接続中の前記非登録端末の接続先を前記第１の無線局へ変更する接続切り替えを実施するか否かの前記他の無線局又は前記制御装置による判定に使用される、付記２２に記載の無線局装置。
【０１８０】
（付記２５）
前記情報は、前記無線局装置から前記他の無線局への前記非登録端末の接続先の切り替えの原因を示す原因情報である、付記２１に記載の無線局装置。
【０１８１】
（付記２６）
少なくとも１つの非登録端末及び少なくとも１つの登録端末が共に無線接続可能であり、前記登録端末との間の通信を前記非登録端末との間の通信より優先する無線送受信部と、
自局と他の無線局の間における前記非登録端末及び前記登録端末の接続切り替えを制御するハンドオーバ実行部を備え、
前記ハンドオーバ実行部は、自局に接続している前記非登録端末の接続先が前記他の無線局に切り替えられた後の第１の期間中、前記他の無線局に接続している前記無線端末が前記登録端末では無く前記非登録端末である場合に、前記無線端末の接続先を前記他の無線局から自局へ変更する接続切り替えを拒否する、
無線局装置。
【０１８２】
（付記２７）
第１の無線局と第２の無線局の間において、非登録端末、及び前記非登録端末に比べて前記第１の基地局との通信が優先される登録端末の接続切り替えを制御するハンドオーバ実行部と、
前記第１の無線局又は前記第１の無線局を制御する第１の制御装置から、前記第１の無線局に接続している前記非登録端末の接続先が前記第２の無線局に切り替わることに応じて通知される当該接続切り替えの原因を示す原因情報を受信するとともに、前記第２の無線局に接続している前記無線端末が前記登録端末では無く前記非登録端末である場合に、前記無線端末の接続先を前記第２の無線局から前記第１の無線局へ変更する接続切り替えを実施するか否かを、前記前記第１の無線局又は前記第１の制御装置から転送された前記原因情報と、前記無線端末から受信されるメッセージに含まれる原因情報との照合結果に基づいて判定するハンドオーバ判定部と、
を備えるハンドオーバ制御装置。
【０１８３】
（付記２８）
第１の無線局と第２の無線局の間において、非登録端末、及び前記非登録端末に比べて前記第１の基地局との通信が優先される登録端末の接続切り替えを制御するハンドオーバ実行部と、
前記第１の無線局又は前記第１の無線局を制御する第１の制御装置から通知された前記第１の無線局の負荷状況を示す負荷情報に基づいて前記第１の無線局を前記非登録端末のハンドオーバ先から除外するかを決定する負荷情報受信部と、
前記第２の無線局に接続している前記無線端末が前記登録端末では無く前記非登録端末である場合に、前記無線端末の接続先を前記第２の無線局から前記第１の無線局へ変更する接続切り替えを実施するか否かを、前記負荷情報受信部による決定に基づいて判定するハンドオーバ判定部と、
を備えるハンドオーバ制御装置。
【０１８４】
（付記２９）
前記負荷情報受信部は、前記負荷情報より判定される前記第１の無線局の負荷が所定の基準を超える場合に、前記第１の無線局又は前記第１の無線局の配下の第１のセルを除外リストに登録し、
前記ハンドオーバ判定部は、前記第１の無線局又は前記第１のセルが前記除外リストに指定されている場合に、前記第２の無線局に接続中の前記非登録端末の接続先を前記第１の無線局へ変更する接続切り替えを抑止する、付記２８に記載のハンドオーバ制御装置。
【０１８５】
（付記３０）
第１の無線局と第２の無線局の間において、非登録端末、及び前記非登録端末に比べて前記第１の基地局との通信が優先される登録端末の接続切り替えを制御するハンドオーバ実行部と、
前記第２の無線局に接続中の前記非登録端末の接続先を前記第１の無線局へ変更する接続切り替えを実施するか否かを、前記第２の無線局に接続中の前記非登録端末から通知されるメッセージに含まれる前記第１の無線局からのパイロット信号の受信品質の測定結果に基づいて判定するハンドオーバ判定部と、
前記第１の無線局又は前記第１の無線局を制御する第１の制御装置から通知された前記第１の無線局の負荷状況を示す負荷情報に基づいて、前記非登録端末によって前記パイロット信号の受信品質の測定結果に付加されるオフセット値を、前記第２の無線局に接続中の前記非登録端末の前記第２の無線局から前記第１の無線局への接続切り替えが発生し難くなるように調整し、前記第２の無線局に接続中の前記非登録端末に送信する送信部と、
を備えるハンドオーバ制御装置。
【０１８６】
（付記３１）
前記送信部は、前記負荷情報より判定される前記第１の無線局の負荷が所定の基準を超える場合に、前記オフセット値の調整を行う、付記３０に記載のハンドオーバ制御装置。
【０１８７】
（付記３２）
前記負荷情報は、前記第１の無線局に接続している少なくとも１つの前記登録端末による負荷を示す、付記３０又は３１に記載のハンドオーバ制御装置。
【０１８８】
（付記３３）
第１の無線局と第２の無線局との間における無線端末のハンドオーバの制御方法であって、
前記第１の無線局は、少なくとも１つの非登録端末及び少なくとも１つの登録端末が共に無線接続可能であり、前記登録端末との間の通信を前記非登録端末との間の通信より優先するよう構成され、
前記方法は、
前記第１の無線局に接続している前記非登録端末の接続先が前記第２の無線局に切り替わることに応じて、切り替え対象の前記非登録移動局の接続先が再び前記第１の無線局に切り替わることを制限する制御に使用され、前記非登録端末、前記第２の無線局、又は前記第２の無線局を制御する制御装置に送信される情報を作成すること、
を備えるハンドオーバ制御方法。
【０１８９】
（付記３４）
第１の無線局と第２の無線局との間における無線端末のハンドオーバの制御方法であって、
前記第１の無線局は、少なくとも１つの非登録端末及び少なくとも１つの登録端末が共に無線接続可能であり、前記登録端末との間の通信を前記非登録端末との間の通信より優先するよう構成され、
前記方法は、
前記第１の無線局に接続している前記非登録端末の接続先が前記第２の無線局に切り替えられた後の第１の期間中、前記第２の無線局に接続している無線端末が前記登録端末では無く前記非登録端末である場合に、前記無線端末の接続先を前記第２の無線局から前記第１の無線局へ変更する接続切り替えを拒否すること、
を備えるハンドオーバ制御方法。
【０１９０】
（付記３５）
第１の無線局と第２の無線局との間における無線端末のハンドオーバの制御方法であって、
前記第１の無線局は、少なくとも１つの非登録端末及び少なくとも１つの登録端末が共に無線接続可能であり、前記登録端末との間の通信を前記非登録端末との間の通信より優先するよう構成され、
前記方法は、
前記第１の無線局又は前記第１の無線局を制御する第１の制御装置から、前記第１の無線局に接続している前記非登録端末の接続先が前記第２の無線局に切り替わることに応じて通知される当該接続切り替えの原因を示す原因情報を受信すること、及び、
前記第２の無線局に接続している無線端末が前記登録端末では無く前記非登録端末である場合に、前記無線端末の接続先を前記第２の無線局から前記第１の無線局へ変更する接続切り替えを実施するか否かを、前記前記第１の無線局又は前記第１の制御装置から転送された前記原因情報と、前記無線端末から受信されるメッセージに含まれる原因情報との照合結果に基づいて判定すること、
を備えるハンドオーバ制御方法。
【０１９１】
（付記３６）
第１の無線局と第２の無線局との間における無線端末のハンドオーバの制御方法であって、
前記第１の無線局は、少なくとも１つの非登録端末及び少なくとも１つの登録端末が共に無線接続可能であり、前記登録端末との間の通信を前記非登録端末との間の通信より優先するよう構成され、
前記方法は、
前記第１の無線局又は前記第１の無線局を制御する第１の制御装置から通知された前記第１の無線局の負荷状況を示す負荷情報に基づいて前記第１の無線局を前記非登録端末のハンドオーバ先から除外するかを決定すること、及び
前記第２の無線局に接続している無線端末が前記登録端末では無く前記非登録端末である場合に、前記無線端末の接続先を前記第２の無線局から前記第１の無線局へ変更する接続切り替えを実施するか否かを、前記負荷情報受信部による決定に基づいて判定すること、
を備えるハンドオーバ制御方法。
【０１９２】
（付記３７）
第１の無線局と第２の無線局との間における無線端末のハンドオーバの制御方法であって、
前記第１の無線局は、少なくとも１つの非登録端末及び少なくとも１つの登録端末が共に無線接続可能であり、前記登録端末との間の通信を前記非登録端末との間の通信より優先するよう構成され、
前記方法は、
前記第１の無線局又は前記第１の無線局を制御する第１の制御装置から通知された前記第１の無線局の負荷状況を示す負荷情報に基づいて、前記非登録端末によって前記パイロット信号の受信品質の測定結果に付加されるオフセット値を、前記第２の無線局に接続中の前記非登録端末の前記第２の無線局から前記第１の無線局への接続切り替えが発生し難くなるように調整し、前記第２の無線局に接続中の前記非登録端末に送信すること、及び
前記第２の無線局に接続中の前記非登録端末の接続先を前記第１の無線局へ変更する接続切り替えを実施するか否かを、前記第２の無線局に接続中の前記非登録端末から通知されるメッセージに含まれる前記第１の無線局からのパイロット信号の受信品質の測定結果に基づいて判定すること、
を備えるハンドオーバ制御方法。
【０１９３】
（付記３８）
付記２９〜３７のいずれか１項に記載のハンドオーバ制御方法をコンピュータに実行させるためのプログラム。
【符号の説明】
【０１９４】
１  フェムトセル基地局
２  非登録移動局
３  周辺基地局
４  フェムトゲートウェー装置
５  ネットワーク
６  フェムトセル
７  他セル
１０  無線受信部
１１  ハンドオーバ判定部
１２  ハンドオーバ実行部
１３  端末情報記憶部
１４  セル優先度情報作成部
１５  隣接セル情報記憶部
１６  無線送信部
１７  ハンドオーバコーズ作成部
１８  端末情報受信部
１９  端末判定部
１１０  自セル負荷測定部
１１１  負荷情報作成部
２０  無線受信部
２１  隣接セル情報記憶部
２２  ハンドオーバ判定部
２３  ハンドオーバ実行部
２４  無線送信部
３０  無線受信部
３１  隣接セル情報記憶部
３２  ハンドオーバ判定部
３３  端末情報受信部
３４  ハンドオーバ実行部
３５  他セル負荷情報受信部
３６  無線送信部
【図１】
2011244208.tif 000003
【図２】
2011244208.tif 000004
【図３】
2011244208.tif 000005
【図４】
2011244208.tif 000006
【図５】
2011244208.tif 000007
【図６】
2011244208.tif 000008
【図７】
2011244208.tif 000009
【図８】
2011244208.tif 000010
【図９】
2011244208.tif 000011
【図１０】
2011244208.tif 000012
【図１１】
2011244208.tif 000013
【図１２】
2011244208.tif 000014
【図１３】
2011244208.tif 000015
【図１４】
2011244208.tif 000016
【図１５】
2011244208.tif 000017
【図１６】
2011244208.tif 000018
【図１７】
2011244208.tif 000019
【図１８】
2011244208.tif 000020
【図１９】
2011244208.tif 000021
【図２０】
2011244208.tif 000022
【図２１】
2011244208.tif 000023
【図２２】
2011244208.tif 000024
【図２３】
2011244208.tif 000025
【図２４】
2011244208.tif 000026
【図２５】
2011244208.tif 000027
【図２６】
2011244208.tif 000028
【図２７】
2011244208.tif 000029
【図２８】
2011244208.tif 000030
【図２９】
2011244208.tif 000031
【図３０】
2011244208.tif 000032
【図３１】
2011244208.tif 000033
【図３２】
2011244208.tif 000034